(57)【要約】  ノード（１１０，１１５）は、情報ビットの所与のセットに関連付けられた送信であって、それぞれが異なるポーラ符号を使用し、情報ビットの所与のセットのうちの１つ以上の情報ビットを共有する、送信を受信（８０４）する。ノードは、ノードの複数のポーラ復号器（５０５，６０５）のそれぞれであって、送信のうちの異なる送信に関連付けられる、複数のポーラ復号器のそれぞれにおいて、送信のうちの関連付けられた１つに含まれる各情報ビットに対する軟情報を決定（８０８）する。ノードは、複数のポーラ復号器の各ポーラ復号器から複数のポーラ復号器の１つ以上の他のポーラ復号器へ、個別の関連付けられた送信によって共有される任意の情報ビットに対する決定した軟情報を提供（８１２）し、提供された軟情報を、受信した送信のうちの１つ以上を復号するための反復復号処理において使用（８１６）する。【選択図】図５
2019531001.tif 000002
【特許請求の範囲】
【請求項１】
ノード（１１０，１１５，９１２，１０１０）の方法であって、
情報ビットの所与のセットに関連付けられた複数の送信であって、それぞれが異なるポーラ符号を使用し、情報ビットの前記所与のセットのうちの１つ以上の情報ビットを共有する、前記複数の送信を受信すること（８０４）と、
前記ノードの複数のポーラ復号器（５０５，６０５）のそれぞれであって、前記複数の送信のうちの異なる送信に関連付けられる、前記複数のポーラ復号器のそれぞれにおいて、前記複数の送信のうちの関連する１つに含まれる各情報ビットに対する軟情報を決定すること（８０８）と、
前記複数のポーラ復号器のうちの各ポーラ復号器から前記複数のポーラ復号器のうちの１つ以上の他のポーラ復号器へ、それらの個別の関連する送信によって共有された任意の情報ビットに対して決定された前記軟情報を提供すること（８１２）と、
受信した前記複数の送信のうちの１つ以上を復号するために、提供された前記軟情報を反復復号処理において使用すること（８１６）と、
を含むことを特徴とする方法。
【請求項２】
請求項１に記載の方法であって、前記軟情報は確率または対数尤度比のうちの１つ以上を含むことを特徴とする方法。
【請求項３】
請求項１に記載の方法であって、前記軟情報は、復調器から受信した１つ以上のチャネルビットの対数尤度比と、それらの個別の関連する送信によって共有される任意の情報ビットに対して、前記複数のポーラ復号器のうちの１つ以上の他のポーラ復号器から提供される前記軟情報とに基づいて決定される方法。
【請求項４】
請求項３に記載の方法であって、前記複数のポーラ復号器のうちの前記１つ以上の他のポーラ復号器から提供された前記軟情報は、それらの個別の送信によって共有される情報ビットのサブセットに対する、１つ以上のポーラ復号器からの以前の送信の軟情報を含むことを特徴とする方法。
【請求項５】
請求項３に記載の方法であって、前記複数のポーラ復号器のうちの前記１つ以上の他のポーラ復号器から提供された前記軟情報は、それらの個別の送信によって共有される情報ビットのサブセットに対する、１つ以上のポーラ復号器からの後続の送信の軟情報を含むことを特徴とする方法。
【請求項６】
請求項１に記載の方法であって、前記軟情報を係数でスケーリングすることを含むことを特徴とする方法。
【請求項７】
請求項１に記載の方法であって、
前記複数の送信のうちの第１の送信に関連付けられた第１のポーラ復号器において、前記第１の送信内の各情報ビットに対する軟情報を決定することと、
前記第１の送信に関連付けられた前記第１のポーラ復号器から第２の送信に関連付けられた第２のポーラ復号器へ、前記第１の送信および前記第２の送信によって共有される情報ビットのサブセットに含まれる前記第１の送信内の各情報ビットに対する前記軟情報を提供することと、
前記複数の送信のうちの前記第２の送信に関連付けられた前記第２のポーラ復号器において、前記第１の送信および前記第２の送信によって共有される情報ビットの前記サブセット内の各情報ビットに対する軟情報を決定することと、
前記第２の送信に関連付けられた前記第２のポーラ復号器から前記第１の送信に関連付けられた前記第１のポーラ復号器へ、前記第１の送信および前記第２の送信によって共有される情報ビットの前記サブセット内の各情報ビットに対する前記軟情報を提供することと、
を含むことを特徴とする方法。
【請求項８】
請求項７に記載の方法であって、
前記第１のポーラ復号器によって、前記第１の送信および前記第２の送信によって共有される情報ビットの前記サブセット内の各情報ビットに対する、前記第２のポーラ復号器によって提供された前記軟情報に基づいて、前記第１の送信の各情報ビットに対する硬判定を決定することを含むことを特徴とする方法。
【請求項９】
請求項１に記載の方法であって、決定した前記軟情報を格納することを含むことを特徴とする方法。
【請求項１０】
請求項９に記載の方法であって、前記複数の送信のうちの第１の送信および前記複数の送信のうちの別の送信を復号するために格納された前記軟情報を取り出し、使用することを含むことを特徴とする方法。
【請求項１１】
請求項１に記載の方法であって、情報ビットの所与のセットに関連付けられた前記複数の送信は、最初の送信および複数の再送を含むことを特徴とする方法。
【請求項１２】
請求項１に記載の方法であって、前記複数のポーラ復号器は逐次除去復号器を含むことを特徴とする方法。
【請求項１３】
ノード（１１０，１１５，９１２，１０１０）であって、
処理回路（９３０，１０４０，１１２０，１２２０）を含み、前記処理回路は、
情報ビットの所与のセットに関連付けられた複数の送信であって、それぞれが異なるポーラ符号を使用し、情報ビットの前記所与のセットのうちの１つ以上の情報ビットを共有する、前記複数の送信を受信（８０４）し、
前記ノードの複数のポーラ復号器（５０５，６０５）のそれぞれであって、前記複数の送信のうちの異なる送信に関連付けられる、前記複数のポーラ復号器のそれぞれにおいて、前記複数の送信のうちの関連付けられた１つに含まれる各情報ビットに対する軟情報を決定（８０８）し、
前記複数のポーラ復号器のうちの各ポーラ復号器から前記複数のポーラ復号器のうちの１つ以上の他のポーラ復号器へ、それらの個別の関連付けられる送信によって共有された任意の情報ビットに対して決定された前記軟情報を提供（８１２）し、
受信した前記複数の送信のうちの１つ以上を復号するために、提供された前記軟情報を反復復号処理において使用（８１６）する、
よう構成されることを特徴とするノード。
【請求項１４】
請求項１３に記載のノードであって、前記軟情報は確率または対数尤度比のうちの１つ以上を含むことを特徴とするノード。
【請求項１５】
請求項１３に記載のノードであって、前記処理回路は、復調器から受信した１つ以上のチャネルビットの対数尤度比と、それらの個別に関連付けられた送信によって共有される任意の情報ビットに対して、前記複数のポーラ復号器のうちの１つ以上の他のポーラ復号器から提供される前記軟情報とに基づいて前記軟情報を決定するよう構成されることを特徴とするノード。
【請求項１６】
請求項１５に記載のノードであって、前記複数のポーラ復号器のうちの前記１つ以上の他のポーラ復号器から提供された前記軟情報は、それらの個別の送信によって共有される情報ビットのサブセットに対する、１つ以上のポーラ復号器からの以前の送信の軟情報を含むことを特徴とするノード。
【請求項１７】
請求項１５に記載のノードであって、前記複数のポーラ復号器のうちの前記１つ以上の他のポーラ復号器から提供された前記軟情報は、個別の送信によって共有される情報ビットのサブセットに対する、１つ以上のポーラ復号器からの後続の送信の軟情報を含むことを特徴とするノード。
【請求項１８】
請求項１３に記載のノードであって、前記軟情報を係数でスケーリングすることを含むことを特徴とするノード。
【請求項１９】
請求項１３に記載のノードであって、前記処理回路は、
前記複数の送信のうちの第１の送信に関連付けられた第１のポーラ復号器において、前記第１の送信内の各情報ビットに対する軟情報を決定し、
前記第１の送信に関連付けられた前記第１のポーラ復号器から第２の送信に関連付けられた第２のポーラ復号器へ、前記第１の送信および前記第２の送信によって共有される情報ビットのサブセットに含まれる前記第１の送信内の各情報ビットに対する前記軟情報を提供し、
前記複数の送信のうちの前記第２の送信に関連付けられた前記第２のポーラ復号器において、前記第１の送信および前記第２の送信によって共有される情報ビットの前記サブセット内の各情報ビットに対する軟情報を決定し、
前記第２の送信に関連付けられた前記第２のポーラ復号器から前記第１の送信に関連付けられた前記第１のポーラ復号器へ、前記第１の送信および前記第２の送信によって共有される情報ビットの前記サブセット内の各情報ビットに対する前記軟情報を提供する、
ように構成されることを特徴とするノード。
【請求項２０】
請求項１９に記載のノードであって、前記処理回路は、前記第１のポーラ復号器によって、前記第１の送信および前記第２の送信によって共有される情報ビットの前記サブセット内の各情報ビットに対する、前記第２のポーラ復号器によって提供された前記軟情報に基づいて、前記第１の送信の各情報ビットに対する硬判定を決定するように構成されることを特徴とするノード。
【請求項２１】
請求項１３に記載のノードであって、前記処理回路は決定された前記軟情報を格納するよう構成されることを特徴とするノード。
【請求項２２】
請求項２１に記載のノードであって、前記処理回路は、前記複数の送信のうちの第１の送信および前記複数の送信のうちの別の送信を復号するために格納された前記軟情報を取得し、使用するよう構成されることを特徴とする方法。
【請求項２３】
請求項１３に記載のノードであって、情報ビットの所与のセットに関連付けられた前記複数の送信は、最初の送信および複数の再送を含むことを特徴とするノード。
【請求項２４】
請求項１３に記載のノードであって、前記複数のポーラ復号器は逐次除去復号器を含むことを特徴とするノード。
【発明の詳細な説明】
【技術分野】
【０００１】
本開示は、一般的には無線通信に関し、具体的には、レート可変ポーラ符号の軟復号に関する。
【背景技術】
【０００２】
非特許文献１（本明細書で「Ａｒｉｋａｎ」と称する）において提案されたポーラ符号は、低複雑度の逐次干渉除去（ＳＣ）復号器の下でバイナリ入力離散無記憶チャネルの対称的な容量を達成することが証明可能な建設的な符号化方式の最初のクラスである。しかしながら、ＳＣ下のポーラ符号の有限長の性能は、低密度パリティ検査（ＬＰＤＣ）符号およびターボ符号のような他の現代のチャネル符号化方式に比較して優位性がない。その後、最適最尤（ＭＬ）復号器の性能に近づくことができるＳＣリスト（ＳＣＬ）復号器が非特許文献２（本明細書で「Ｔａｌ」と称する）において提案された。単純な巡回冗長検査（ＣＲＣ）符号化を連結することにより、連結したポーラ符号の性能は最適化されたＬＤＰＣおよびターボ符号の性能と拮抗することが示された。結果として、ポーラ符号は、５Ｇのような将来の無線通信システムの候補として考慮されている。
【０００３】
ポーラ符号化の主なアイデアは、同一のバイナリ入力チャネルのペアを、元のバイナリ入力チャネルより優れた１つと、劣っている１つとの、異なる品質の２つの別個のチャネルに変換することである。バイナリ入力チャネルの２M個の独立した使用のセット上で、そのようなペアワイズ・ポラライズ動作を繰り返すことで、品質が変動する２M個の「ビットチャネル」のセットが得られる。これらのビットチャネルのいくつかは、ほぼ完璧（すなわち、エラーフリー）であり、残りのビットチャネルは、ほぼ役に立たない（すなわち、完全にノイズが多い）。ポイントは、受信器に既知の固定または不変の値（例えば０）を有するように入力を無駄なチャネルに設定しながら、受信器にデータを送信するためにほぼ完璧なチャネルを使用することである。このため、ほぼ役に立たないチャネルへの入力ビットおよびほぼ完璧なチャネルへの入力ビットは、一般的に、それぞれ不変ビットおよび不変ではない（または情報）ビットと呼ばれる。不変ではないビットのみがポーラ符号でデータを搬送するために使用される。
【０００４】
無線ブロードバンドシステムは、時変のチャネルの存在の中で動作するために、柔軟で適応的な送信技術を必要とする。そのようなシステムにおいて、インクリメンタル冗長度に基づくハイブリッド自動再送要求（ＨＡＲＱ−ＩＲ）方式がしばしば用いられ、パリティビットは時変のチャネルの品質に応じてインクリメンタル方式で送信される。ＩＲシステムはレート可変パンクチャコードの使用を必要とする。レートの要件に応じて、第１の送信または後続の再送の間に、適切な数の符号化ビットが送信器によって送信される。ここで、より高レートの符号の符号化ビットのセットはより低レートの符号の符号化ビットのセットのサブセットであるべきである。それゆえ、ＨＡＲＱ−ＩＲシステムにおいて、受信器が特定のレートでの復号が失敗した場合、送信器によるその後の再送で送信される追加の符号化ビットを要求するだけでよい。レート可変ターボ符号およびＬＤＰＣ符号の構成に関しては大規模な研究がなされてきた。しかしながら、レート可変ポーラ符号に関する研究は比較的少ない。
【０００５】
図１は、ＨＡＲＱインクリメンタル冗長度における第１の送信のポーラ符号の構造の一例を示す。より具体的には、図１は長さ８のポーラ符号の構造を示す。図１に示す第１の送信において、長さ８のポーラ符号の８ビットのチャネルのうち６つがデータ（不変ではないまたは情報ビットｕ0からｕ5）でロードされ、残りが不変（受信器に既知のゼロ値に割当てられる）であり、全体のコードレート３／４が与えられる。
【０００６】
非特許文献３（本明細書で「Ｈｏｎｇ」と称する）および非特許文献４の両方で、ＨＡＲＱ−ＩＲ再送信を可能にするために、新しいクラスのレート可変ポーラ符号が導入された。このクラスの符号を適用するＨＡＲＱ方式のために、各送信（または再送）は、個別の符号ブロックを生成するために個別のポーラ符号（自身に関連付けられたポーラ符号器とともに）を用いる。以前の送信のそれぞれで使用される、不変ではないビットの一部（図１の例において、不変ではないビットｕ0からｕ5）は集約され、後続の再送において再符号化され、送信される。新しい再送信を形成するために、それぞれの以前の送信から取られた不変ではないビットの量は、すべての後続の送信が正常に復号された場合に、以前の（再）送信のそれぞれが同じ有効（低下）符号化率をもたらすように決定され、復号されたビットは不変ビットとして使用される。
【０００７】
前述のクラスのレート可変ポーラ符号は、図１〜図３に示された、３つの送信を使用する例によって説明されることができる。上述したように、図１に示す第１の送信において、長さ８のポーラ符号の８ビットチャネルのうちの６ビットはデータでロードされ、残りは不変であり、全体の符号レート３／４が与えられる。受信器が６つの情報ビット（ｕ0からｕ5）の復号が失敗した場合、別の長さ８のポーラ符号が最も信頼性の低いビット、図１の例においてｕ3，ｕ4，ｕ5、を再送するために使用される。図２に示す第１の再送が後述される。
【０００８】
図２は、ＨＡＲＱインクリメンタル冗長度における第２の送信（すなわち、第１の再送）のポーラ符号の構造の一例を示す。受信器が第１の送信において６つの情報ビットの復号が失敗した場合、図２に示すように、別の長さ８のポーラ符号が３つの最も信頼性の低いビット、（ｕ3，ｕ4，ｕ5）を再送するために使用されうる。図２の例において、第２の符号ブロックの符号レートは３／８である。したがって、図１の第１の送信における第１の符号ブロックの有効符号レートは、ビット（ｕ3，ｕ4，ｕ5）が受信器によって第２の符号ブロックから逐次復号され、第１の符号ブロックを復号するための不変ビットとして使用される場合、３／４から３／８に減少する。受信器が図２の第２の送信（すなわち、第１の再送）を復号することを再度失敗した場合、第２の送信の最も信頼性の低いビット、図２の例ではｕ3、および（第２の送信の全てのデータビットが連続して復号されていないと仮定して）次に信頼性の低いビット、図１の例では第１の送信のｕ2、が、別の長さ８のポーラ符号を用いて再送される。
【０００９】
図３は、ＨＡＲＱインクリメンタル冗長度における第３の送信（すなわち、第２の再送）のポーラ符号の構造の一例を示す。受信器が図２の第２の送信（すなわち、第１の再送）を復号することを再度失敗した場合、第２の送信の最も信頼性の低いビット、図２の例ではｕ3、および（第２の送信の全てのデータビットが連続して復号されていないと仮定して）次に信頼性の低いビット、図１の例では第１の送信のｕ2、が、図３の例で図示するもののように、別の長さ８のポーラ符号を使用して再送信される。この場合、後続の再送における全てのデータビットが逐次復号され、対応する以前の送信において不変ビットとして使用されると仮定すると、３つの送信の全ての３つの符号ブロックの有効符号レートは３／８から１／４に減少する。
【００１０】
Ｈｏｎｇでは、複数の送信にわたって逐次的に復号する方法も提案されている。この方法において、復号器はまず最後の再送において最新の符号ブロックを復号し、第１の送信が復号されるまで、以前の（再）送信を復号するために復号された（硬）ビットを不変ビットとして使用する。この簡単な復号化方法は、全ての再送信の集約された容量を達成することを示すことができる。
【００１１】
上述した複数の送信にわたる逐次復号化方法は、容量を達成するが、復号化方法はブロック誤り性能の観点から準最適である。この理由は２つある。第一に、後続の再送の符号ブロックの復号は、以前の送信に含まれる情報を考慮に入れていない。その結果、ブロック誤り性能は、それぞれの個別の送信のブロック長によって制限され、全ての送信にわたる合計ブロック長による利益は得られない。第二に、１つの符号ブロックと、別の符号ブロックとの間の硬ビットの交換は、復号された情報（不変ではない）ビットの信頼性を考慮していない。
【先行技術文献】
【非特許文献】
【００１２】
【非特許文献１】E. Arikan, “Channel Polarization: A Method for Constructing Capacity-Achieving Codes for Symmetric Binary-Input Memoryless Channels,” IEEE Transactions on Information Theory, vol. 55, pp. 3051-3073, Jul. 2009.
【非特許文献２】I. Tal, A. Vardy, “List Decoding of polar codes,” Proceedings of IEEE Symp. Inf. Theory, pp. 1-5, 2011.
【非特許文献３】S. Hong, D. Hui, I. Maric, “Capacity Achieving Rate-Compatible Polar Codes,” Proc. ISIT, Bacelona, July 2016.
【非特許文献４】B. Li, D. Tse, K. Chen, H. Shen, “Capacity-Achieving Rateless Polar Codes,” Proc. ISIT, Bacelona, July 2016.
【発明の概要】
【００１３】
既存のアプローチで上述した問題に対処するために、ノードにおける方法が開示される。方法は、情報ビットの所与のセットに関連付けられた複数の送信を受信することを含み、複数の送信のうちのそれぞれは異なるポーラ符号を用い、情報ビットの所与のセットのうちの１つ以上の情報ビットを共有する。方法は、ノードの複数のポーラ復号器のうちのそれぞれにおいて、複数の送信のうちの関連付けられた１つに含まれる各情報ビットに対する軟情報を決定することを含み、複数のポーラ復号器のそれぞれは複数の送信のうちの異なる送信に関連付けられる。方法は、複数のポーラ復号器の各ポーラ復号器から複数のポーラ復号器の１つ以上の他のポーラ復号器へ、個別の関連付けられた送信によって共有される任意の情報ビットに対する決定した軟情報を提供することと、提供された軟情報を、受信した複数の送信のうちの１つ以上を復号するための反復復号処理において使用することとを含む。
【００１４】
所定の実施形態において、軟情報は確率または対数尤度比のうちの１つ以上を含みうる。所定の実施形態において、方法は軟情報を係数によってスケーリングすることを含みうる。
【００１５】
所定の実施形態において、軟情報は、復調器から受信した１つ以上のチャネルビットの対数尤度比と、個別に関連付けられた送信によって共有される任意の情報ビットについて複数のポーラ復号器のうちの１つ以上の他のポーラ復号器から提供される軟情報とに基づいて決定されてもよい。複数のポーラ復号器のうちの１つ以上の他のポーラ復号器から提供された軟情報は、個別の送信によって共有される情報ビットのサブセットのための、以前の送信の１つ以上のポーラ復号器からの軟情報を含みうる。複数のポーラ復号器のうちの１つ以上の他のポーラ復号器から提供された軟情報は、個別の送信によって共有される情報ビットのサブセットのための、後続の送信の１つ以上のポーラ復号器からの軟情報を含みうる。
【００１６】
所定の実施形態において、方法は、複数の送信のうちの第１の送信に関連付けられた第１のポーラ復号器において、第１の送信内の各情報ビットに対する軟情報を決定することを含んでもよい。方法は、第１の送信に関連付けられた第１のポーラ復号器から第２の送信に関連付けられた第２のポーラ復号器へ、第１の送信および第２の送信によって共有される情報ビットのサブセットに含まれる第１の送信内の各情報ビットに対する軟情報を提供することを含んでもよい。方法は、複数の送信のうちの第２の送信に関連付けられた第２のポーラ復号器において、第１の送信および第２の送信によって共有される情報ビットのサブセット内の各情報ビットに対する軟情報を決定することを含んでもよい。方法は、第２の送信に関連付けられた第２のポーラ復号器から第１の送信に関連付けられた第１のポーラ復号器へ、第１の送信および第２の送信によって共有される情報ビットのサブセット内の各情報ビットに対する軟情報を提供することを含んでもよい。所定の実施形態において、方法は、第１のポーラ復号器が、第１の送信および第２の送信によって共有される情報ビットのサブセット内の各情報ビットに対して第２のポーラ復号器によって提供された軟情報に基づいて、第１の送信の各情報ビットに対する硬判定を決定することを含んでもよい。
【００１７】
所定の実施形態において、方法は決定された軟情報を格納することを含んでもよい。方法は、複数の送信のうちの第１の送信および複数の送信のうちの別の送信を復号するために格納された軟情報を取り出し、使用することを含んでもよい。
【００１８】
所定の実施形態において、情報ビットの所与のセットに関連付けられた複数の送信は、最初の送信および複数の再送を含んでもよい。複数のポーラ復号器は逐次除去復号器を含んでもよい。
【００１９】
また、ノードが開示される。ノードは処理回路を含む。処理回路は、情報ビットの所与のセットに関連付けられた複数の送信を受信するよう構成され、複数の送信のうちのそれぞれは異なるポーラ符号を用い、情報ビットの所与のセットのうちの１つ以上の情報ビットを共有する。処理回路は、ノードの複数のポーラ復号器のうちのそれぞれにおいて、複数の送信のうちの関連付けられた１つに含まれる各情報ビットに対する軟情報を決定するよう構成され、複数のポーラ復号器のそれぞれは複数の送信のうちの異なる送信に関連付けられる。処理回路は、複数のポーラ復号器の各ポーラ復号器から複数のポーラ復号器の１つ以上の他のポーラ復号器へ、個別の関連付けられた送信によって共有される任意の情報ビットに対する決定した軟情報を提供し、提供された軟情報を、受信した複数の送信のうちの１つ以上を復号するための反復復号処理において使用するように構成される。
【００２０】
本開示の所定の実施形態は、１以上の技術的優位性を提供してもよい。例えば、所定の実施形態は、レート可変ポーラ符号のクラスの復号器が、ブロックエラーレートを改善するための複数の送信の後の集約されたブロック長、および目標ブロックエラーレートに対してＣＲＣを通過させるために必要な再送の回数を、有効に利用することを可能にしてもよい。他の利点は当業者には容易に明らかとなってもよい。特定の実施形態は、列挙された利点のどれも有していなくてもよく、いくつか、または全てを有していてもよい。
【図面の簡単な説明】
【００２１】
開示された実施形態ならびにそれらの特徴および利点をより完全に理解するために、添付の図面と共に以下の説明への参照がなされる。
【図１】ＨＡＲＱインクリメンタル冗長度における第１の送信のポーラ符号の構造の一例を示す。
【図２】ＨＡＲＱインクリメンタル冗長度における第２の送信（すなわち、第１の再送）のポーラ符号の構造の一例を示す。
【図３】ＨＡＲＱインクリメンタル冗長度における第３の送信（すなわち、第２の再送）のポーラ符号の構造の一例を示す。
【図４】所定の実施形態に従う、ネットワークの実施形態を示すブロック図。
【図５】所定の実施形態に従う、ＨＡＲＱインクリメンタル冗長度における２個の異なる送信を用いる反復復号の一例を示す。
【図６】所定の実施形態に従う、ＨＡＲＱインクリメンタル冗長度におけるＮ個の異なる送信を用いる反復復号の一例を示す。
【図７】所定の実施形態に従う、ポーラ符号の逐次復号において、どのように軟情報および硬情報が生成されるかの一例を示す。
【図８】所定の実施形態に従う、ノードの方法のフロー図。
【図９】所定の実施形態に従う、例示的なＵＥの概略ブロック図。
【図１０】所定の実施形態に従う、例示的なｅＮｏｄｅＢの概略ブロック図。
【図１１】所定の実施形態に従う、例示的な無線機器の概略ブロック図。
【図１２】所定の実施形態に従う、例示的なネットワークノードの概略ブロック図。
【図１３】所定の実施形態に従う、例示的な無線ネットワークコントローラまたはコア・ネットワークノードの概略ブロック図。
【図１４】所定の実施形態に従う、例示的な無線機器の概略ブロック図。
【図１５】所定の実施形態に従う、例示的なネットワークノードの概略ブロック図。
【発明を実施するための形態】
【００２２】
上述したように、複数の送信を介した、ポーラ符号の逐次的な復号への既存のアプローチは、最初に、最近の再送におけるもっとも最新の符号ブロックを復号し、続いて第一の送信が復号されるまで、以前の（再）送信を復号するために復号された（硬）ビットを不変のビットとして用いる。これは容量を達成するものの、そのようなアプローチには所定の欠点が存在する。例えば、復号するためのこのアプローチは、ブロック誤り性能の観点から準最適である。この理由は２つある。第一に、後続の再送の符号ブロックの復号は、以前の送信に含まれる情報を考慮に入れていない。その結果、ブロック誤り性能は、それぞれの個別の送信のブロック長によって制限され、全ての送信にわたる合計ブロック長による利益は得られない。第二に、１つの符号ブロックと、別の符号ブロックとの間の硬ビットの交換は、復号された情報（不変ではない）ビットの信頼性を考慮していない。
【００２３】
本開示は、既存のアプローチに関するこれら、そして他の欠陥に対処しうる様々な実施形態を考慮する。例えば、本明細書で開示される実施形態は、情報ビットを含むすべての符号ブロックの間で、個別の情報ビットの軟情報が交換されるように、情報ビットの所与のセットに関連付けられた異なる送信の符号ブロック間で、軟情報が交換されることを可能にする復号処理に関する。これは、最新の（再）送信の代わりに、ビットを含む全ての（再）送信から利益を引き出すことを可能にする。所定の実施形態において、軟情報は確率または対数尤度比（ＬＬＲ）の形式で表現されてもよい。
【００２４】
１つの例示的な実施形態によれば、ノード（例えば無線機器またはネットワークノード）における方法が開示される。ノードは情報ビットの所与のセットに関連付けられた複数の送信を受信し、複数の送信のうちのそれぞれは異なるポーラ符号を用い、情報ビットの所与のセットのうちの１つ以上の情報ビットを共有する。ノードは、ノードの複数のポーラ復号器のうちのそれぞれにおいて、複数の送信のうちの関連付けられた１つに含まれる各情報ビットに対する軟情報を決定し、複数のポーラ復号器のそれぞれは複数の送信のうちの異なる送信に関連付けられる。ノードは、複数のポーラ復号器の各ポーラ復号器から複数のポーラ復号器の１つ以上の他のポーラ復号器へ、個別の関連付けられた送信によって共有される任意の情報ビットに対する決定した軟情報を提供し、提供された軟情報を、受信した複数の送信のうちの１つ以上を復号するための反復復号処理において使用する。
【００２５】
本開示の所定の実施形態は、１つ以上の技術的優位性を提供してもよい。例えば、所定の実施形態は、レート可変ポーラ符号のクラスの復号器が、ブロックエラーレートを改善するための複数の送信の後の集約されたブロック長、および目標ブロックエラーレートに対してＣＲＣを通過させるために必要な再送の回数を、有効に利用することを可能にしてもよい。他の利点は当業者には容易に明らかとなってもよい。所定の実施形態は、列挙された利点のどれも有していなくてもよく、いくつか、または全てを有していてもよい。
【００２６】
以下の説明では、多数の具体的な詳細が説明される。しかしながら、本開示の実施形態は具体的な詳細無しに実施されてもよいことは理解されたい。他の例では、本開示の理解を曖昧にしないように、周知の回路、構成、および技術は詳細には説明されない。当業者であれば、含まれる説明によって、過度な実験をすることなく適切な機能を実施することができるだろう。
【００２７】
本明細書における「一実施形態」、「実施形態」、「例示的な実施形態」、「所定の実施形態」などへの言及は、説明された実施形態が特定の特徴、構造、または特性を含むことができることを示す。実施形態は必ずしも特定の特徴、構造、または特性を含まなくてもよい。さらに、そのような用語は必ずしも同一の実施形態を参照していない。さらに、特定の特徴、構造、または特性が実施形態と結び付けて説明されるとき、そのような特徴、構造、または特性が他の実施形態と結び付けて実施されるかどうかは当業者の知識の範囲内である。
【００２８】
以降の開示および請求の範囲では、「結合される」または「接続される」という用語はそれらの派生語と共に用いられてもよい。これらの用語は互いに同義語であるものとして意図されていないことを理解されたい。「結合される」は、互いに直接物理的または電気的に接触していてもいなくてもよい２つ以上の要素が互いに協働または相互作用することを示すために使用される。「接続された」は、互いに結合されている２つ以上の要素間の通信の確立を示すために使用される。
【００２９】
図４は、所定の実施形態に係る、ネットワーク１００の実施形態を示すブロック図である。ネットワーク１００は１つ以上の無線機器１１０および１つ以上のネットワークノード１１５を含む。無線機器１１０は無線インタフェースを介してネットワークノード１１５と通信しうる。例えば、無線機器１１０は、１以上のネットワークノード１１５へ無線信号を送信し、および／または１以上のネットワークノード１１５から無線信号を受信してもよい。無線信号は、音声トラフィック、データトラフィック、制御信号、および／またはその他の適した情報を含んでもよい。いくつかの実施形態では、ネットワークノード１１５に関連付けられた無線信号カバレッジのエリアはセル１２５と呼ばれてもよい。いくつかの実施形態では、無線機器１１０はデバイスツーデバイス（Ｄ２Ｄ）能力を有してもよい。したがって、無線機器１１０は、他の無線機器から信号を受信し、および／または信号を直接送信することができてもよい。
【００３０】
所定の実施形態では、ネットワークノード１１５は無線ネットワークコントローラと連動してもよい。無線ネットワークコントローラは、ネットワークノード１１５を制御してもよく、所定の無線リソース管理機能、移動性管理機能、および／または他の適した機能を提供してもよい。所定の実施形態では、無線ネットワークコントローラの機能は、ネットワークノード１１５に含められてもよい。無線ネットワークコントローラはコア・ネットワークノードと連動してもよい。所定の実施形態では、無線ネットワークコントローラは、相互接続ネットワーク１２０を介して、コア・ネットワークノードと連動してもよい。相互接続ネットワーク１２０は、音声、動画、信号、データ、メッセージ、または前述の任意の組み合わせを送信することができる任意の相互接続を指してもよい。相互接続ネットワーク１２０は１つ以上のインターネットプロトコル（ＩＰ）ネットワーク、公衆電話網（ＰＳＴＮ）、パケットデータネットワーク、オプティカルネットワーク、公開または非公開データネットワーク、ローカルエリアネットワーク（ＬＡＮ）、無線ローカルエリアネットワーク（ＷＬＡＮ）、有線ネットワーク、無線ネットワーク、メトロポリタンエリアネットワーク（ＭＡＮ）、ワイドエリアネットワーク（ＷＡＮ）、局所、地域、もしくはグローバル通信またはインターネットのようなコンピュータネットワーク、企業イントラネット、またはそれらの組み合わせを含む、機器間の通信を可能にする任意の他の好適な通信回線の全てまたは一部を含んでもよい。
【００３１】
いくつかの実施形態では、コア・ネットワークノードは無線機器１１０に対する通信セッションの確立および多様な他の機能を管理してもよい。無線機器１１０は、非アクセス層のレイヤを用いてコア・ネットワークノードと所定の信号を交換してもよい。非アクセス層のシグナリングでは、無線機器１１０とコア・ネットワークノードとの間の信号は、無線アクセスネットワーク（ＲＡＮ）を透過的に通過しうる。所定の実施形態では、ネットワークノード１１５は、例えばＸ２インタフェースのようなノード間インタフェースを介して、１つ以上のネットワークノードと連動してもよい。
【００３２】
上述したように、ネットワーク１００の例示的な実施形態は、１以上の無線機器１１０、および無線機器１１０と（直接または間接に）通信可能な１以上の異なるタイプのネットワークノード１１５を含みうる。
【００３３】
いくつかの実施形態では、非限定的な用語「無線機器」が使用される。本明細書で説明される無線機器１１０はネットワークノード１１５および／または他の無線機器と、例えば無線信号を介して、無線で通信する能力を有する、通信するよう構成された、通信するよう配置された、および／または通信するよう動作可能な、任意の種類の無線機器でありうる。無線で通信することは、電気信号、電波、赤外線信号、および／または空気を介して情報を搬送するための好適な他のタイプの信号を用いて無線信号を送信および／または受信することを含んでもよい。所定の実施形態では、無線機器は直接的な人間の相互作用なしに情報を送信および／または受信するよう構成されうる。例えば、無線機器は、内部もしくは外部イベントによってトリガされた際に、またはネットワークからの要求に応じて、所定のスケジュールでネットワークへ情報を送信するよう設計されてもよい。一般的に、無線機器は、例えば無線通信デバイスのような無線通信する能力がある、無線通信するよう構成された、無線通信するよう配置された、および／または無線通信するよう動作可能である任意の機器を表しうる。無線機器の例は、スマートフォンのようなユーザ装置（ＵＥ）を含むがこれに限定されない。さらなる例は、無線カメラ、無線対応タブレットコンピュータ、ラップトップ組込機器（ＬＥＥ）、ラップトップ搭載機器（ＬＭＥ）、ＵＳＢドングル、および／または無線加入者宅内機器（ＣＰＥ）を含む。無線機器１１０はまた、無線通信機器、ターゲット機器、Ｄ２Ｄ  ＵＥ、マシンタイプ通信（ＭＴＣ）ＵＥまたはマシンツーマシン（Ｍ２Ｍ）通信能力を有するＵＥ、低コストおよび／もしくは低複雑度なＵＥ、ＵＥに組込まれたセンサ、タブレット、携帯端末、インターネットオブシングス（ＩｏＴ）機器、または狭帯域ＩｏＴ（ＮＢ−ＩＯＴ）機器、または任意の他の好適な機器であってもよい。
【００３４】
１つの具体例として、無線機器１１０は、第三世代パートナーシッププロジェクト（３ＧＰＰ）によって公布された１つ以上の通信規格、３ＧＰＰのＮｅｗ  Ｒａｄｉｏ（ＮＲ）向けグローバルシステム、携帯通信（ＧＳＭ）、Universal Mobile Telecommunications System（ＵＭＴＳ）、Long Term Evolution（ＬＴＥ）、および／または他の好適な２Ｇ、３Ｇ、４Ｇもしくは５Ｇ規格もしくは他の好適な規格に従って通信するよう構成されたＵＥを表しうる。本明細書で用いられるように、「ＵＥ」は、関連する機器を所有および／または運用する人間のユーザという意味での「ユーザ」を有する必要はなくてもよい。代わりに、ＵＥは人間のユーザに販売され、または人間のユーザによって操作されることが意図されている機器を表すが、最初は特定の人間のユーザに関連付けられていなくてもよい。
【００３５】
無線機器１１０は、サイドリンク通信のための３ＧＰＰ規格を実装することによってＤ２Ｄ通信をサポートしてもよく、この場合にはＤ２Ｄ通信機器と呼ばれてもよい。
【００３６】
しかしながら別の具体例としては、ＩｏＴのシナリオにおいて、無線機器は、モニタリングおよび／または測定を実行し、そのモニタリングおよび／または測定の結果を別の無線機器またはネットワークノードへ送信する機械または他の機器を表してもよい。この場合、無線機器はＭ２Ｍ機器であり、３ＧＰＰの文脈ではＭＴＣ機器と呼ばれうる。１つの特定の例では、無線機器は３ＧＰＰ  ＮＢ−ＩｏＴ規格を実装したＵＥでありうる。そのような機械のまたは機器の特定例は、センサ、電力メータのようなメータ機器、産業機械、または家庭用もしくは個人用家電製品（例えば冷蔵庫、テレビ、腕時計のような個人用のウェアラブル、など）である。他のシナリオにおいて、無線機器は、その動作状態またはその動作に関連する他の機能についてモニタリングおよび／または報告する能力を有する車両または他の機器を表してもよい。
【００３７】
上述した無線機器１１０は、無線接続のエンドポイントを表すことができ、その場合、装置は無線端末と呼ばれてもよい。さらに、上述した無線機器１１０は、可搬性があってもよく、この場合携帯機器または携帯端末と呼ばれてもよい。
【００３８】
図１に図示するように、無線機器１１０は、ネットワークノード１１５および／または他の無線機器のようなネットワークノードへ、無線でデータを送信し、または受信することができる、無線エンドポイント、移動局、携帯電話、無線ローカルループフォン、スマートフォン、ユーザ装置、デスクトップコンピュータ、パーソナルデジタルアシスタント（ＰＤＡ）、セルフォン、タブレット、ラップトップ、Voice Over IP（ＶｏＩＰ）電話、またはハンドセットのうちの任意の種類であってもよい。
【００３９】
無線機器１１０（例えばエンド基地局、ネットワーク機器）は、（内部的におよび／またはネットワークを介して他の電子機器と、）非一過性の機械可読媒体（例えば磁気ディスク、光学ディスク、読み出し専用メモリ（ＲＯＭ）、フラッシュメモリデバイス、位相変化メモリのような機械可読記録媒体）および一過性の機械可読伝送媒体（例えば電気、光、音、または搬送波、赤外線信号のような他の形態の伝搬信号）のような機械可読媒体を用いて、（ソフトウェア命令で構成された）コードおよびデータを格納または送信してもよい。加えて、無線機器１１０は、（コードおよび／またはデータを格納するための）１つ以上の非一過性の機械が読取可能な媒体、（例えばキーボード、タッチスクリーン、および／またはディスプレイなどの）ユーザ入出力機器、および（伝搬信号を用いてコードおよび／またはデータを送信するための）ネットワーク接続のような、１つ以上の他のコンポーネントに結合された１つ以上のプロセッサのセットのようなハードウェアを含んでもよい。プロセッサと他のコンポーネントのセットの結合は、典型的には１つ以上のバスまたはブリッジ（バスコントローラとも呼ばれる）を介する。したがって、所与の電子機器の非一過性の機械可読媒体は典型的には電子機器の１つ以上のプロセッサが実行する命令を格納する。本明細書で説明される実施形態の１つ以上の部分は、ソフトウェア、ファームウェア、および／またはハードウェアの異なる組み合わせを用いて実施されてもよい。
【００４０】
また、いくつかの実施形態において、一般用語「ネットワークノード」が使用される。本明細書で用いられるように、「ネットワークノード」は、無線機器に無線アクセスを可能にするおよび／または提供する無線通信ネットワークにおいて、無線機器および／または（例えば別のネットワークノードのような）他の機器と直接的または間接的に通信する能力がある、通信するよう構成され、通信するよう配置され、および／または通信するよう動作可能な装置を参照する。ネットワークノードの例は、アクセスポイント（ＡＰ）、特に無線アクセスポイントを含むがこれに限定されない。ネットワークノードは無線基地局のような基地局（ＢＳ）を表してもよい。無線基地局の特定例はＮｏｄｅ  Ｂ、発展型Ｎｏｄｅ  Ｂ（ｅＮＢ）、マスタｅＮＢ（ＭｅＮＢ）、セカンダリｅＮＢ（ＳｅＮＢ）、およびｇＮＢを含む。基地局は、それらが提供するカバレッジの大きさ（または、言い換えれば、それらの送信電力レベル）に基づいて分類されてもよく、フェムト基地局、ピコ基地局、マイクロ基地局、マクロ基地局と呼ばれてもよい。「ネットワークノード」は、集中型デジタルユニットおよび／または、しばしばリモートラジオヘッド（ＲＲＨ）として参照される、リモート無線ユニット（ＲＲＵ）のような分散型無線基地局の１つ以上の部分（または全ての部分）を含む。そのようなリモート無線ユニットはアンテナ統合型無線としてアンテナに統合されてもよいし、統合されなくてもよい。分散型無線基地局の部分は、分散アンテナシステム（ＤＡＳ）におけるノードとしても参照されうる。
【００４１】
特定の非限定的な例として、基地局は、中継ノードまたは中継を制御する中継ドナーノードであってもよい。
【００４２】
ネットワークノードのさらなる例は、マスタセルグループ（ＭＣＧ）に属するネットワークノード、セカンダリセルグループ（ＳＣＧ）に属するネットワークノード、マルチスタンダードラジオ（ＭＳＲ）のＭＳＲ  ＢＳのような無線装置、無線ネットワークコントローラ（ＲＮＣ）または基地局コントローラ（ＢＳＣ）のようなネットワークコントローラ、ベース送受信局（ＢＴＳ）、送信ポイント、送信ノード、マルチセル／マルチキャスト協調エンティティ（ＭＣＥ）、コア・ネットワークノード（例えば移動交換局（ＭＳＣ）、移動性管理エンティティ（ＭＭＥ）など）、運用・保守（Ｏ＆Ｍ）ノード、オペレーションサポートシステム（ＯＳＳ）、自己組織化ネットワーク（ＳＯＮ）ノード、測位ノード（例えばEvolved Serving Mobile Location Center（Ｅ−ＳＭＬＣ））、ドライブテストの最小化（ＭＤＴ）、または任意の他の好適なネットワークノードを含む。しかしながら、より一般的にはネットワークノードは、無線通信ネットワークへの無線機器のアクセスを可能にする、および／もしくは提供する、または無線通信ネットワークにアクセスした無線機器にサービスを提供するよう能力を有し、そのように構成され、そのように配置され、および／またはそのように動作可能である、任意の好適な機器（または機器のグループ）を表してもよい。
【００４３】
ネットワークノード１１５は、ネットワーク上の他の機器（例えば無線機器１１０、他のネットワーク装置、エンドステーション）を通信可能に相互接続するハードウェアおよびソフトウェアを含む、ネットワーク装置の一部でありうる。いくつかのネットワーク機器は、「複数サービスのネットワーク機器」であり、複数のネットワーク機能（例えば、ルーティング、ブリッジング、スイッチング、レイヤ２アグリゲーション、セッションボーダーコントロール、サービス品質、および／または加入者管理）へのサポートを提供し、および／または複数のアプリケーションサービス（例えばデータ、音声、動画）へのサポートを提供する。加入者エンドステーション（例えば、サーバ、ワークステーション、ラップトップ、ネットブック、パームトップ、携帯電話、スマートフォン、マルチメディアフォン、ＶｏＩＰ電話、ユーザ装置、端末、携帯型メディアプレーヤー、ＧＰＳユニット、ゲームシステム、セットトップボックス）は、インターネットを介して提供されるコンテンツ／サービスおよび／またはインターネット上にオーバレイされた（例えばトンネリングされた）仮想プライベート・ネットワーク（ＶＰＮ）上で提供されるコンテンツ／サービスにアクセスする。コンテンツおよび／またはサービスは、典型的にはピアツーピアサービスに参加するサービスもしくはコンテンツプロバイダに属する１つ以上のエンドステーション（例えばサーバのエンドステーション）またはピアツーピアサービスに参加するエンドステーションによって提供され、例えば公開ウェブページ（例えば無料コンテンツ、ストアフロント、検索サービス）、プライベートウェブページ（例えば電子メールサービスを提供するユーザ名／パスワードでアクセスするウェブページ）、および／またはＶＰＮを介した法人ネットワークを含んでもよい。典型的には、加入者エンドステーションは（例えば（有線または無線で）アクセスネットワークに結合されたＣＰＥを経由して）エッジネットワーク機器に結合され、エッジネットワーク機器は（例えば１つ以上のコアネットワーク機器を経由して）他のエッジネットワーク機器に結合され、他のエッジネットワーク機器は他のエンドステーション（例えばサーバエンドステーション）へ結合される。当業者は、任意のネットワーク機器、エンドステーションまたは他のネットワーク装置は本明細書で説明される様々な機能を実行することができることを理解されるだろう。
【００４４】
「ノード」という用語は、それぞれが個別に上述した無線機器およびネットワークノードの両方を参照するために本明細書で用いられうる。
【００４５】
ネットワークノードおよび無線機器などの用語は、非限定的であるものと見なされるべきであり、特にこれら２つの間の所定の階層関係を暗示するものではない。一般に、「ネットワークノード」は第１の機器と考えられ、「無線機器」は第２の機器と考えられ、これら２つの機器はある無線チャネルを介して互いに通信する。
【００４６】
無線機器１１０、ネットワークノード１１５、および他のネットワークノード（無線ネットワークコントローラまたはコア・ネットワークノード）の例示的な実施形態は、図９〜図１５を参照してより詳細に後述する。
【００４７】
図１はネットワーク１００の特定の配置を示すが、本開示は、本明細書で説明される様々な実施形態が任意の適した構成を有する様々なネットワークに適用されうることを考慮する。例えば、ネットワーク１００は、任意の適切な数の無線機器１１０およびネットワークノード１１５、ならびに無線機器間または無線機器と（固定電話のような）他の通信機器との間の通信をサポートするのに適した任意の付加的なエレメントを含んでもよい。異なる実施形態において、無線ネットワーク１００は、任意の数の有線もしくは無線ネットワーク、ネットワークノード、基地局、コントローラ、無線機器、中継局、並びに／または有線もしくは無線接続を介してデータおよび／もしくは信号の通信を促すまたは参加する任意の他のコンポーネントを含みうる。
【００４８】
さらに、本明細書で説明される実施形態は、任意の好適なコンポーネントを利用する任意の適切なタイプのテレコミュニケーションシステムで実現されることができ、無線機器が信号（例えばデータ）を受信および／または送信する任意の無線アクセス技術（ＲＡＴ）またはマルチＲＡＴシステムに適用可能である。例えば、本実施形態で説明される様々な実施形態は、ＮＲ、ＬＴＥ、ＬＴＥ−Ａｄｖａｎｃｅｄ、５Ｇ、ＵＭＴＳ、ＨＳＰＡ、ＧＳＭ、ｃｄｍａ２０００、ＷＣＤＭＡ、ＷｉＭａｘ、ＵＭＢ、ＷｉＦｉ、別の好適なＲＡＴ、または任意の好適な１以上のＲＡＴの組み合わせに適用可能であってもよい。したがって、ネットワーク１００は任意のタイプの通信、遠隔通信、データ、セルラ、および／もしくは無線ネットワークまたは他のタイプのシステムを表す。特定の実施形態において、ネットワーク１００は特定の規格または他のタイプの所定のルールもしくは手順に従って動作するよう構成されてもよい。従って、無線通信ネットワークの特定の実施形態は、ＮＲ、ＧＳＭ、ＵＭＴＳ、ＬＴＥ、および／または他の好適な２Ｇ、３Ｇ、４Ｇもしくは５Ｇ規格のような通信規格、ＩＥＥＥ８０２．１１規格のような無線ローカルエリアネットワーク（ＷＬＡＮ）規格、ならびに／または、Worldwide Interoperability for Microwave Access（ＷｉＭａｘ）、（登録商標）Ｂｌｕｅｔｏｏｔｈ、および／もしくはＺｉｇＢｅｅ規格のような任意の他の適した無線通信規格を実施してもよい。
【００４９】
特定の実施形態はダウンリンク（ＤＬ）における無線伝送のコンテキストにおいて説明されうるが、本開示は、様々な実施形態がアップリンク（ＵＬ）においても等しく適用可能であることを考慮する。
【００５０】
上述したように、本開示は（例えば無線機器１１０またはネットワークノード１１５のような、ネットワーク１００のノードにおける）復号処理を対象にする多様な実施形態を検討し、復号処理は（典型的には外部ＬＬＲの形式での）軟情報を、情報ビットの所与のセットに関連付けられる異なる送信の符号ブロック間で交換することを可能にし、これによって個別の情報ビットの軟情報が、情報ビットが含まれるすべての符号ブロック間で交換される。これは、各情報ビットが最新の（再）送信のみの代わりに、当該ビットを含む全ての（再）送信から利益を導出することを可能にする。特定の実施形態において、軟情報は確率または対数尤度比（ＬＬＲ）の形式で表現されてもよい。軟情報は複数の方法で導出されてもよい。１つの例示的な実施形態では、軟情報は各ビットの最大事後（ＭＡＰ）確率に基づいて導出される。別の例示的な実施形態では、軟情報はコードワードの最尤（ＭＬ）確率に基づいて導出される。軟情報が外部ＬＬＲの形式である例を使用して所定の実施形態を説明することができるが、本開示はそのような例に限定されない。むしろ、本開示は他のタイプの軟情報が使用できることを考慮する。非限定的な例として、所定の実施形態において、軟情報はユークリッド距離の形式でありうる。
【００５１】
図５は、特定の実施形態に従う、ＨＡＲＱインクリメンタル冗長度における２つの異なる送信を用いる反復復号の例を示す。図５の例示的な実施形態において、反復復号化処理は、一例として、図１および図２に関して上述した第１および第２の送信を用いて説明される。各送信はノードのポーラ復号器５０５に関連付けられる。図５の例では、第１の送信は第１のポーラ復号器５０５ａに関連付けられ、第２の送信は第２のポーラ復号器５０５ｂに関連付けられる。この例示的な実施形態の任意の数の送信への一般化は図６に関連してさらに後述する。
【００５２】
１つの重要な考えは、それぞれ図１および図２で上述した第１および第２の送信が本質的に２つの異なるポーラ符号を使用し、情報ビットのサブセットを共有することである。結果として、これらの２つの異なる符号は、図５の例で示すように、反復復号化処理にまとめられることができる。
【００５３】
外部ＬＬＲ（ｕi，第ｎ  ｔｘ）はｎ番目の送信に対してポーラ復号器によって生成されるビットｕiの外部対数尤度比（ＬＬＲ）を示すものとする。これはビットｕiのＬＬＲとｎ番目の送信に対してポーラ復号器によって生成されるビットｕiの入力外部ＬＬＲとの差分に左右される。初期化の間、ノードは全てのｉ＝３，４，５について外部ＬＬＲ（ｕi，第２  ｔｘ）＝０を設定し、反復回数ｔをｔ＝１に設定する。
【００５４】
反復ｔごとに、ノードは以下のステップを実行する。
１．｛ｕ0，ｕ1，ｕ2｝の事前情報をゼロに設定し、ｉ＝３，４，５について事前情報ｕiを外部ＬＬＲ（ｕi，第２  ｔｘ）に設定する。
２．第１の送信のポーラ復号器（例えば図５の例におけるポーラ復号器５０５ａ）を動作させる。
ａ．入力：
ｉ．第２の送信のポーラ復号器（例えば図５の例におけるポーラ復号器５０５ｂ）からの繰り返し情報ビット｛ｕi：ｉ＝３，４，５｝の外部ＬＬＲ
ｉｉ．（復調器から受信した）チャネルビット｛ｙ10，ｙ11，．．．，ｙ17｝のＬＬＲ
ｂ．出力：  ｉ＝０，１，２，３，４，５についての外部ＬＬＲ（ｕi，第１  ｔｘ）。
３．情報ビットｕiの事前情報をｉ＝３，４，５について外部ＬＬＲ（ｕi，第１  ｔｘ）に設定する。
４．第２の送信のポーラ復号器５０５ｂを動作させる。
ａ．入力：
ｉ．第１の送信のポーラ復号器５０５ａからの繰り返し情報ビット｛ｕi：ｉ＝３，４，５｝の外部ＬＬＲ
ｉｉ．チャネルビット｛ｙ20，ｙ21，．．．，ｙ27｝のＬＬＲ
ｂ．出力：  ｉ＝３，４，５についての外部ＬＬＲ（ｕi，第２  ｔｘ）。
５．ｔ＜ｔmaxの場合、ｔを増加させ、ステップ１に戻る。
そうでなければ、ステップ１を実行し、第１の送信のポーラ復号器５０５ａを用いて情報ビット｛ｕi：ｉ＝０，１，２，３，４，５｝の全体のＬＬＲを生成する。ノードは、全体のＬＬＲに基づいて情報ビット｛ｕi：ｉ＝０，１，２，３，４，５｝の硬判定を行う。
【００５５】
図６は、特定の実施形態に従う、ＨＡＲＱインクリメンタル冗長度における任意のＮ個の異なる送信を用いる反復復号の一例を示す。図６の例示的な実施形態において、Ｎ個の送信は、第１の送信、およびＨＡＲＱプロセスにおける情報ビットの同一ブロックに関連付けられる（Ｎ−１）個の再送信である。各送信はポーラ復号器６０５に関連付けられる。図６の例において、第１の送信はポーラ復号器６０５ａに関連付けられ、第２の送信はポーラ復号器６０５ｂに関連付けられ、第３の送信はポーラ復号器６０５ｃに関連付けられ、第Ｎの送信はポーラ復号器６０５ｎに関連付けられる。
【００５６】
Ｉiは、任意のｉ≧１に対するｉ番目（第ｉ）の送信において送信される、１番目の送信に関するすべての不変（フローズン）ではないビットのインデックスのセットを示すものとする。また、
2019531001.tif 000003
は、第１の送信に関するインデックスがＩiにあるビットの集合を示すものとする。
【００５７】
Ｉi,jは、任意のｉ＜ｊに対するｉ番目（第ｉ）とｊ番目（第ｊ）との送信において再送される、第１の送信に関するすべての不変ではないビットのインデックスのセットを示すものとする。また、
2019531001.tif 000004
は、第１の送信に関するインデックスがＩi,jにあるビットの集合を示すものとする。表記を簡単にするために、
2019531001.tif 000005
は第ｉの送信および全ての後続の送信の両方で送信される不変ではないビットのインデックスのセットであるものとする。同様に、
2019531001.tif 000006
は第ｉの送信および全ての以前の送信の両方で送信される、不変ではないビットのインデックスのセットであるものとする。
【００５８】
初期化の間、ノードは全てのｉ∈Ｉn,+および全てのｎ＝１，２，．．．，Ｎについて外部ＬＬＲ（ｕi，第ｎ  ｔｘ）＝０を設定し、反復回数ｔをｔ＝１に設定する。
【００５９】
反復ｔごとに、ノードは順方向の伝搬と逆方向の伝搬について以下に別々に説明する以下のステップを実行する。
【００６０】
順方向の伝搬について、第ｎの送信に対するｎ＝１からｎ＝Ｎの復号器ごとに以下のステップを実行する。
１．ｉ∈Ｉ-,nについて、外部ＬＬＲ（ｕi，第１から第（ｎ−１）  ｔｘ）を取得するためにｉ∈Ｉm,nおよびｍ＝１，２，．．．，ｎ−１について以前の送信からの外部ＬＬＲを抽出し外部ＬＬＲ（ｕi，第ｍ  ｔｘ）と結合する。
２．ｉ∈Ｉ-,nについて事前情報ｕ-,nを外部ＬＬＲ（ｕi，第１から第（ｎ−１）  ｔｘ）に設定し、ｕInの全ての他のビットについて事前情報をゼロに設定する。
３．第ｎ送信のポーラ復号器を動作させる。
ｉ．入力：
１．以前の送信のポーラ復号器からの繰り返し情報ビットｕ-,nの外部ＬＬＲ
２．図１〜図３の例ではＭ＝３である、（復調器から受信した）チャネルビット
2019531001.tif 000007
のＬＬＲ
ｉｉ．出力：  ｉ∈Ｉ-,nについての外部ＬＬＲ（ｕi，第ｎ  ｔｘ）。
【００６１】
逆方向の伝搬について、第ｎの送信に対するｎ＝Ｎからｎ＝１の復号器ごとに以下のステップを実行する。
１．ｉ∈Ｉn,+について、外部ＬＬＲ（ｕi，第（ｎ＋１）から第Ｎ  ｔｘ）を取得するためにｉ∈Ｉm,nおよびｍ＝ｎ＋１，ｎ＋２，．．．，Ｎ＋１について後続の送信からの外部ＬＬＲを抽出し外部ＬＬＲ（ｕi，第ｍ  ｔｘ）と結合する。
２．ｉ∈Ｉn,+について情報ビットｕn,+の事前情報を外部ＬＬＲ（ｕi，第ｎ＋１から第Ｎ  ｔｘ）に設定し、ｉ∈Ｉ-,nについてｕInの全ての他のビットについて事前情報を外部ＬＬＲ（ｕi，第１から第（ｎ−１）  ｔｘ）に設定する。
３．第ｎ送信のポーラ復号器を動作させる。
ａ．入力：
ｉｉｉ．全ての後続の送信のポーラ復号器からの繰り返し情報ビットｕn,+の外部ＬＬＲ
ｉｖ．チャネルビットｙnのＬＬＲ
ｂ．出力：  ｉ∈Ｉ-,nについての外部ＬＬＲ（ｕi，第ｎ  ｔｘ）。
【００６２】
ｔ＜ｔmaxの場合、ｔを増加させ、ステップ１に戻る。そうでなければ、第１の送信のポーラ復号器を用いて全ての情報ビットｕI1の全体のＬＬＲを生成する。全体のＬＬＲに基づいて情報ビットｕI1の硬判定を行う。
【００６３】
複数のポーラ復号器の間で軟情報を利用することの基本原理を示すために復号手順が上述されたが、多くの変形がなされうることが理解される。例えば、所定の実施形態では、事前ＬＬＲがポーラ復号器において、そのまま用いられるのではなく、変更されてもよい。事前ＬＬＲを変更する１つの非限定的な例示的な方法は、事前ＬＬＲを係数によってスケーリングすることである。係数の値は、典型的には０．０と１．０の間の実数である。係数は全ての構成要素であるポーラ復号器にわたって同一であってもよいし同一でなくてもよい。
【００６４】
所定の実施形態において、２≦ｎ＜Ｎの第ｎ送信（すなわち、第（ｎ−１）の再送）のそれぞれの後で、外部ＬＬＲが格納される。第Ｎの送信が受信された場合、２≦ｎ＜Ｎの第ｎ送信に対応するポーラ復号器は再実行されず、第ｎの送信の外部ＬＬＲがメモリから読み出され、第Ｎ送信および第１送信のポーラ符号において用いられる。これは、情報ビットの１つのブロックに対して、２より多いＨＡＲＱ（再）送信があった場合であっても、２個より多いポーラ復号器を動作させる必要がないという利点がある。
【００６５】
図７は、特定の実施形態に従う、ポーラ符号の逐次復号において、どのように軟情報および硬情報が生成されるかの一例を示す。より具体的には、図７は、図１〜図３に関して上述した、長さ８のポーラ符号に対して軟情報および硬情報がどのように生成されうるかを示している。ｙn＝（ｙn,0，ｙn,1，．．．，ｙn,7）は復調器から受信したチャネルビットのＬＬＲであり、
2019531001.tif 000008
は全てのｉ＝０，１，．．．，７についてビットｕiになされる硬判定を示すものとする。
【００６６】
情報ビットｕiの異なるビット位置によって、各ノードに関数ｇおよびｆが適用される。２つの関数はそれぞれ
2019531001.tif 000009
および
2019531001.tif 000010
と表現される。関数ｈは、情報ビットｕiまでトレリスが辿られた場合に、ＬＬＲから推定されたビットを判定するために使用される。硬判定を行う前に関数ｆ（ａ，ｂ）を使用する情報ビットについて、変更された表現を用いて硬判定がなされ、
2019531001.tif 000011
ここでＬＬＲa,iはビットｕiで受信された事前情報を示す。そしてｕiに対する外部情報はＬＬＲe,i＝ＬＬＲt,i−ＬＬＲa,i＝ｆ（ａ，ｂ）である。
【００６７】
硬判定を行う前に関数ｇ（ａ，ｂ）を使用する情報ビットについて、変更された表現を用いて硬判定がなされる。
2019531001.tif 000012
そしてｕiに対する外部情報はＬＬＲe,i＝ＬＬＲt,i−ＬＬＲa,i＝ｇ（ａ，ｂ）である。
【００６８】
ここで、ＬＬＲa,iはｕiの事前ＬＬＲであり、構成要素のポーラ復号器への軟入力である。ここで、ＬＬＲe,iはｕiの外部ＬＬＲであり、構成要素のポーラ復号器からの軟出力である。軟値ＬＬＲt,iはビットｕiの合計ＬＬＲである。
【００６９】
関数ｈ（ｘ）はビットｕiの推定である硬判定
2019531001.tif 000013
を作成する関数
2019531001.tif 000014
である。
【００７０】
なお、関数ｆ（．）およびｇ（．）の多くの簡単化が存在する一方、ここでは議論を簡単にするために基本表現を使用する。
【００７１】
上述の例では反復復号の原理を説明するために、ＳＣ復号器の典型的な説明を用いたが、他の種類のポーラ復号器も同様に使用することができる。例は、ＳＣ復号器のリスト復号、ＢＰ（確率伝搬）復号器、などを含むが、これらに限定されない。多様な種類のポーラ復号器が、軟情報が２以上の構成要素のポーラ復号器の間を通過する反復復号の原理とともに使用されることができる。
【００７２】
特に、リスト復号について、軟情報（外部ＬＬＲ）の異なるセットが、復号経路のリスト内の各候補に対して、各構成要素であるポーラ復号器によって生成されてもよい。軟情報のこれらの異なるセットの全ては、他の構成要素であるポーラ復号器と交換されてもよく、これによってリスト復号は他の送信の復号において実行され続けることができる。代替案としては、複雑さを低減するために、リスト内の各候補に対するＬＬＲ出力を加算して、次のポーラ復号器に対する軟情報（外部ＬＬＲ）の１つのセットを生成することができる。加えて、出力ＬＬＲを計算する際、復号器は、リスト内の異なる候補が真のコードワードであると仮定して受信信号を観測する確率を考慮することができる。例えばＴａｌに記載されているように、ＣＲＣを使ったリスト復号の場合、各構成要素のポーラ復号器はＣＲＣを通過する復号パスのリスト内の候補についてのみ軟情報を提供し交換してもよい。
【００７３】
前述の実施形態の結果、レート可変ポーラ符号のクラスの復号器が、ブロックエラーレートを改善するための複数の送信の後の集約されたブロック長、および目標ブロックエラーレートに対してＣＲＣを通過させるために必要な再送の回数を、有効に利用することが可能になる。
【００７４】
図５〜図７の処理および付随する説明が所定の実施形態によって実行される特定の順番の動作を示しうる一方で、そのような順番は代表的なものであること理解されるべきである（例えば、代替的な実施形態は、異なる順番で動作を実行し、所定の動作と組み合わせ、所定の動作と重複するなどしてもよい）。
【００７５】
本開示はいくつかの例示的な実施形態を説明したが、当業者は、本開示は説明された例示的な実施形態に限定されず、添付の特許請求の範囲の精神および範囲内で修正および変更とともに実施することができることを認識するであろう。したがって、説明は限定的ではなく例示的と見なされるべきである。
【００７６】
図８は、特定の実施形態に従う、ノードの方法８００のフロー図である。方法８００はステップ８０４から始まり、ノードは情報ビットの所与のセットに関連付けられた複数の送信を受信し、複数の送信のうちのそれぞれは異なるポーラ符号を用い、情報ビットの所与のセットのうちの１つ以上の情報ビットを共有する。所定の実施形態において、情報ビットの所与のセットに関連付けられた複数の送信は、最初の送信および複数の再送を含んでもよい。
【００７７】
ステップ８０８において、ノードは、ノードの複数のポーラ復号器のうちのそれぞれにおいて、複数の送信のうちの関連付けられた１つに含まれる各情報ビットに対する軟情報を決定し、複数のポーラ復号器のそれぞれは複数の送信のうちの異なる送信に関連付けられる。複数のポーラ復号器は逐次除去復号器を含んでもよい。
所定の実施形態において、軟情報は確率またはＬＬＲのうちの１つ以上を含みうる。所定の実施形態において、方法は軟情報を係数によってスケーリングすることを含みうる。所定の実施形態において、軟情報は、復調器から受信した１つ以上のチャネルビットのＬＬＲ比と、個別に関連付けられた送信によって共有される任意の情報ビットについて複数のポーラ復号器のうちの１つ以上の他のポーラ復号器から提供される軟情報とに基づいて決定されてもよい。所定の実施形態において、方法は決定された軟情報を格納することを含んでもよい。
【００７８】
ステップ８１２において、ノードは、複数のポーラ復号器のうちの各ポーラ復号器から複数のポーラ復号器のうちの１つ以上の他のポーラ復号器へ、個別の関連する送信によって共有された任意の情報ビットに対して決定された軟情報を提供する。
【００７９】
ステップ８１６において、ノードは受信した複数の送信のうちの１つ以上を復号するために、提供された軟情報を反復復号処理において使用する。複数のポーラ復号器のうちの１つ以上の他のポーラ復号器から提供された軟情報は、個別の送信によって共有される情報ビットのサブセットのための、以前の送信の１つ以上のポーラ復号器からの軟情報を含みうる。複数のポーラ復号器のうちの１つ以上の他のポーラ復号器から提供された軟情報は、個別の送信によって共有される情報ビットのサブセットのための、後続の送信の１つ以上のポーラ復号器からの軟情報を含みうる。所定の実施形態において、方法は、複数の送信のうちの第１の送信および複数の送信のうちの別の送信を復号するために格納された軟情報を取得し、使用することを含んでもよい。
【００８０】
所定の実施形態において、方法は、複数の送信のうちの第１の送信に関連付けられた第１のポーラ復号器において、第１の送信内の各情報ビットに対する軟情報を決定することを含んでもよい。方法は、第１の送信に関連付けられた第１のポーラ復号器から第２の送信に関連付けられた第２のポーラ復号器へ、第１の送信および第２の送信によって共有される情報ビットのサブセットに含まれる第１の送信内の各情報ビットに対する軟情報を提供することを含んでもよい。方法は、複数の送信のうちの第２の送信に関連付けられた第２のポーラ復号器において、第１の送信および第２の送信によって共有される情報ビットのサブセット内の各情報ビットに対する軟情報を決定することを含んでもよい。方法は、第２の送信に関連付けられた第２のポーラ復号器から第１の送信に関連付けられた第１のポーラ復号器へ、第１の送信および第２の送信によって共有される情報ビットのサブセット内の各情報ビットに対する軟情報を提供することを含んでもよい。所定の実施形態において、方法は、第１のポーラ復号器が、第１の送信および第２の送信によって共有される情報ビットのサブセット内の各情報ビットに対して第２のポーラ復号器によって提供された軟情報に基づいて、第１の送信の各情報ビットに対する硬判定を決定することを含んでもよい。
【００８１】
図９は、特定の実施形態に従う、例示的なＵＥ９１２の概略ブロック図である。ＵＥ９１２は、上述した１つ以上の非限定的な実施形態で使用されうる１つの例示的な実施形態に係る、図４に関して上述した無線機器１１０（例えば車両内といった無線接続された機器）のような無線機器の一例である。ＵＥ９１２はＵＥ９１２の動作を制御する処理モジュール９３０を含む。処理モジュール９３０は例えばネットワークの基地局（例えば図４に関して上述したネットワーク１００のネットワークノード１１５）から信号を受信するために、または信号を送受信するために使用される、関連するアンテナ９３４とともに受信器または送受信器モジュール９３２に接続される。所定の実施形態において、間欠受信（ＤＲＸ）を使用するために、処理モジュール９３０は特定の長さの時間、受信器または送受信器モジュール９３２の動作を停止させるよう構成されうる。ＵＥ９１２は、処理モジュール９３０に接続され、ＵＥ９１２の動作に必要なプログラム並びに他の情報およびデータを格納するメモリモジュール９３６も含む。いくつかの実施形態において、ＵＥ９１２は、ＵＥ９１２の位置および移動速度を決定するために使用されうる受信器モジュール９３８という衛星測位システム（例えばＧｌｏｂａｌ  Ｐｏｓｉｔｉｏｎｉｎｇ  Ｓｙｓｔｅｍ（ＧＰＳ））を選択的に含んでもよい。
【００８２】
図１０は所定の実施形態に従う、例示的なｅＮＢ１０１０の概略ブロック図である。ｅＮＢ１０１０は、上述した１つ以上の非限定的な例示的な実施形態において使用されうる図４に関して上述されたネットワークノード１１５のようなネットワークノードの一例である。マクロｅＮＢは実際にはマイクロｅＮＢとサイズおよび構造が同一ではないが、図示する目的で、基地局１０１０は同様の構成要素を含むと仮定されることを理解されたい。したがって、基地局１０１０は基地局１０１０の動作を制御する処理モジュール１０４０を含む。処理モジュール１０４０は、無線機器（例えば（例えば車両内の）携帯機器のような図４に関して上述されたネットワーク１００内の無線機器１１０）へ信号を送信し、信号を受信するために使用される、関連するアンテナ１０４４とともに送受信器モジュール１０４２に接続される。基地局１０１０は、処理モジュール１０４０に接続され、基地局１０１０の動作に必要なプログラム並びに他の情報およびデータを格納するメモリモジュール１０４６も含む。基地局１０１０は、基地局１０１０が他の基地局１０１０と（例えばＸ２インタフェースを介して）情報を交換することを可能にするためのコンポーネントおよび／または回路１０４８と、基地局１０１０がコアネットワーク内のノードと（例えばＳ１インタフェースを介して）情報を交換することを可能にするためのコンポーネントおよび／または回路１０４９とを含む。他の種類のネットワーク（例えばＵＴＲＡＮまたはＷＣＤＭＡ  ＲＡＮ）で使用される基地局は、図１０に示すものと同様のコンポーネントと、これらの種類のネットワークにおける他のネットワークノード（例えば他の基地局、移動性管理ノードおよび／またはコアネットワーク内のノード）との通信を可能にするための適切なインタフェース回路１０４８、１０４９とを含むことは理解されたい。ＵＥのような別の無線機器は、所定の実施形態に係るノードとして動作できる。
【００８３】
図１１は、特定の実施形態に従う、例示的な無線機器１１０の概略ブロック図である。無線機器１１０は、セルラまたは移動通信システムにおけるノードおよび／または別の無線機器と通信する任意のタイプの無線機器のことを指してもよい。無線機器１１０の例は、携帯電話、スマートフォン、ＰＤＡ、携帯型コンピュータ（例えばラップトップやタブレット）、センサ、アクチュエータ、モデム、ＭＴＣ機器／Ｍ２Ｍ機器、ＬＥＥ、ＬＭＥ、ＵＳＢドングル、Ｄ２Ｄ対応機器、または別の無線通信を提供可能な機器を含む。無線機器１１０は、いくつかの実施形態では、ＵＥ、ステーション（ＳＴＡ）、機器、または端末としても呼ばれうる。無線機器１１０は送受信器１１１０、処理回路１１２０、およびメモリ１１３０を含む。いくつかの実施形態では、送受信器１１１０はネットワークノード１１５へ（例えばアンテナ１１４０を介して）無線信号を送信して無線信号を受信することを促進し、処理回路１１２０は無線機器１１０によって提供されるとして上述した機能のいくつかまたは全てを提供するための命令を実行し、メモリ１１３０は処理回路１１２０によって実行される命令を格納する。
【００８４】
処理回路１１２０は、命令を実行するための１以上のモジュールに実装されたハードウェアおよびソフトウェアの任意の適した組み合わせを含み、図１〜図８に関して上述した無線機器１１０の機能のような、無線機器１１０の説明された機能のいくつかまたは全てを実行するためにデータを扱いうる。いくつかの実施形態では、処理回路１１２０は、例えば、１つ以上のコンピュータ、１つ以上の中央処理装置（ＣＰＵ）、１つ以上のマイクロプロセッサ、１つ以上のアプリケーション、１つ以上の特定用途向け集積回路（ＡＳＩＣ）、１つ以上のフィールドプログラマブルゲートアレイ（ＦＰＧＡ）、および／又は他の論理回路を含みうる。
【００８５】
メモリ１１３０は、一般的には、コンピュータプログラム、ソフトウェア、１以上の論理回路を含むアプリケーション、ルール、アルゴリズム、コード、テーブル等のような命令、および／または処理回路１１２０によって実行されることが可能な他の命令を格納するよう動作可能である。例示的なメモリ１１３０は、コンピュータメモリ（例えばランダムアクセスメモリ（ＲＡＭ）またはＲＯＭ）、大容量記録媒体（例えばハードディスク）、取り外し可能な記録媒体（例えばコンパクトディスク（ＣＤ）またはデジタルビデオディスク（ＤＶＤ））、並びに／または処理回路１１２０によって使用されうる情報、データ、および／もしくは命令を格納する、任意の他の揮発性または不揮発性、非一時的コンピュータ可読および／またはコンピュータが実行可能なメモリデバイスを含む。
【００８６】
無線機器１１０の他の実施形態は、（上述したソリューションをサポートするために必要な任意の機能を含む）上述した機能の何れかおよび／または付加的な機能を含む、無線機器の機能の特定の態様を提供することを担いうる、図１１に示すコンポーネントを超える付加的なコンポーネントを含むことができる。単なる一例として、無線機器１１０は入力機器および回路、出力機器、並びに処理回路１１２０の一部でありうる１つ以上の同期ユニットもしくは回路を含んでもよい。入力機器は無線機器１１０にデータを入力するための機構を含む。例えば、入力機器はマイクロフォン、入力エレメント、ディスプレイなどの入力機構を含んでもよい。出力機器は音声、動画、および／またはハードコピーの形式でデータを出力するための機構を含んでもよい。例えば、出力機器はスピーカ、ディスプレイなどの出力機器を含んでもよい。
【００８７】
図１２は、特定の実施形態に従う、例示的なネットワークノード１１５の概略ブロック図である。ネットワークノード１１５は、ＵＥおよび／または別のネットワークノードと通信する任意のタイプの無線ネットワークノードまたは任意のネットワークノードであってもよい。ネットワークノード１１５の例は、ｅＮＢ、ｇＮＢ、ノードＢ、ＢＳ、無線ＡＰ（例えばＷｉ−Ｆｉ  ＡＰ）、低消費電力ノード、ＢＴＳ、中継、ドナーノード制御リレー、送信ポイント、送信ノード、ＲＲＵ、ＲＲＨ、ＭＳＲ  ＢＳのようなＭＳＲ無線ノード、ＤＡＳ、Ｏ＆Ｍ、ＯＳＳ、ＳＯＮのノード、測位ノード（例えばＥ−ＳＭＬＣ）、ＭＤＴ、または任意の他の好適なネットワークノードを含む。ネットワークノード１１５は、同種間（ホモジーニアス）配備、異種間（ヘテロジーニアス）配備、または混合配備としてネットワーク１００全体に配置されてもよい。ホモジーニアス配備は、一般に、同じ（または類似の）タイプのネットワークノード１１５並びに／または類似のカバレッジおよびセルサイズ並びにサイト間距離で構成される配備を表しうる。ヘテロジーニアス配備は、異なるセルサイズ、送信電力、容量、およびサイト間距離を有する多様な種類のネットワークノード１１５を使用した配備を表しうる。例えば、ヘテロジーニアス配備は、マクロセル・レイアウトに配置された複数の低電力ノード含みうる。混在したデプロイメントは、同種間の部分および異種間の部分の混合を含みうる。
【００８８】
ネットワークノード１１５は１以上の送受信器１２１０、処理回路１２２０、メモリ１２３０、およびネットワークインタフェース１２４０を含みうる。いくつかの実施形態では、送受信器１２１０は（例えばアンテナ１２５０を介して）無線機器１１０へ無線信号を送信し、無線信号を受信することを促進し、処理回路１２２０はネットワークノード１１５によって提供されるものとして上述されるいくつかまたは全ての機能を提供するための命令を実行し、メモリ１２３０は処理回路１２２０によって実行される命令を格納し、そしてネットワークインタフェース１２４０は、ゲートウェイ、スイッチ、ルータ、インターネット、ＰＳＴＮ、コア・ネットワークノード、または無線ネットワークコントローラ１３０などのバックエンド・ネットワークコンポーネントへ信号を通信する。
【００８９】
処理回路１２２０は、命令を実行するための１以上のモジュールに実装されたハードウェアおよびソフトウェアの任意の適した組み合わせを含み、図１〜図８に関して上述したような、ネットワークノード１１５の説明された機能のいくつかまたは全てを実行するためにデータを扱いうる。いくつかの実施形態では、処理回路１２２０は、例えば、１つ以上のコンピュータ、１つ以上のＣＰＵ、１つ以上のマイクロプロセッサ、１つ以上のアプリケーション、１つ以上のＡＳＩＣ、１つ以上のＦＰＧＡ、および／又は他の論理回路を含みうる。
【００９０】
メモリ１２３０は、一般的には、コンピュータプログラム、ソフトウェア、１以上の論理回路を含むアプリケーション、ルール、アルゴリズム、コード、テーブル等のような命令、および／または処理回路１２２０によって実行されることが可能な他の命令を格納するよう動作可能である。例示的なメモリ１２３０は、コンピュータメモリ（例えばＲＡＭまたはＲＯＭ）、大容量記録媒体（例えばハードディスク）、取り外し可能な記録媒体（例えばＣＤまたはＤＶＤ）、および／または情報を格納する、任意の他の揮発性または不揮発性、非一時的コンピュータ可読および／またはコンピュータが実行可能なメモリデバイスを含む。
【００９１】
いくつかの実施形態では、ネットワークインタフェース１２４０は処理回路１２２０に通信可能に接続されており、ネットワークノード１１５への入力を受信し、ネットワークノード１１５からの出力を送信し、当該入力または出力またはその両方の適切な処理を実行し、他の機器と通信し、または前述の任意の組み合わせを実行可能な任意の適した機器を指しうる。ネットワークインタフェース１２４０は、プロトコル変換およびデータ処理能力を備えた、ネットワークを通じて通信するための、適切なハードウェア（例えば、ポート、モデム、ネットワークインタフェースカードなど）およびソフトウェアを含みうる。
【００９２】
ネットワークノード１１５の他の実施形態は、（上述したソリューションをサポートするために必要な任意の機能を含む）上述した機能の何れかおよび／または付加的な機能を含む、無線ネットワークノードの機能の特定の態様を提供することを担いうる、図１２に示すコンポーネントを超える付加的なコンポーネントを含むことができる。様々な異なるタイプのネットワークノードは、同一の物理ハードウェアを有するが、異なる無線アクセス技術をサポートするよう（例えばプログラミングによって）構成されたコンポーネントを含んでもよく、異なる物理コンポーネントを部分的にまたは全体的に表してもよい。
【００９３】
図１３は、特定の実施形態に従う、例示的な無線ネットワークコントローラまたはコア・ネットワークノード１３０の概略ブロック図である。例示的なネットワークノードは、ＭＳＣ、サービングＧＰＲＳサポートノード（ＳＧＳＮ）、ＭＭＥ、ＲＮＣ、ＢＳＣ、等を含みうる。無線ネットワークコントローラまたはコア・ネットワークノード１３０は処理回路１３２０、メモリ１３３０、およびネットワークインタフェース１３４０を含む。いくつかの実施形態では、処理回路１３２０はネットワークノードによって提供されるものとして上述されるいくつかまたは全ての機能を提供するための命令を実行し、メモリ１３３０は処理回路１３２０によって実行される命令を格納し、そしてネットワークインタフェース１３４０は、ゲートウェイ、スイッチ、ルータ、インターネット、ＰＳＴＮ、ネットワークノード１１５、無線ネットワークコントローラ、またはコア・ネットワークノード１３０等の任意の好適なノードへ信号を通信する。
【００９４】
処理回路１３２０は、命令を実行するための１以上のモジュールに実装されたハードウェアおよびソフトウェアの任意の適した組み合わせを含み、無線ネットワークコントローラまたはコア・ネットワークノード１３０の説明された機能のいくつかまたは全てを実行するためにデータを扱いうる。いくつかの実施形態では、処理回路１３２０は、例えば、１つ以上のコンピュータ、１つ以上のＣＰＵ、１つ以上のマイクロプロセッサ、１つ以上のアプリケーション、１つ以上のＡＳＩＣ、１つ以上のＦＰＧＡ、および／又は他の論理回路を含みうる。
【００９５】
メモリ１３３０は、一般的には、コンピュータプログラム、ソフトウェア、１以上の論理回路を含むアプリケーション、ルール、アルゴリズム、コード、テーブル等のような命令、および／または処理回路１３２０によって実行されることが可能な他の命令を格納するよう動作可能である。例示的なメモリ１３３０は、コンピュータメモリ（例えばＲＡＭまたはＲＯＭ）、大容量記録媒体（例えばハードディスク）、取り外し可能な記憶媒体（例えばＣＤまたはＤＶＤ）、および／または情報を格納する、任意の他の揮発性または不揮発性、非一時的コンピュータ可読および／またはコンピュータが実行可能なメモリデバイスを含む。
【００９６】
いくつかの実施形態では、ネットワークインタフェース１３４０は処理回路１３２０に通信可能に接続されており、ネットワークノードへの入力を受信し、ネットワークノードからの出力を送信し、当該入力または出力またはその両方の適切な処理を実行し、他の機器と通信し、または前述の任意の組み合わせを実行可能な任意の適した機器を指しうる。ネットワークインタフェース１３４０は、プロトコル変換およびデータ処理能力を備えた、ネットワークを通じて通信するための、適切なハードウェア（例えば、ポート、モデム、ネットワークインタフェースカードなど）およびソフトウェアを含みうる。
【００９７】
ネットワークノードの他の実施形態は、（上述したソリューションをサポートするために必要な任意の機能を含む）上述した機能の何れかおよび／または付加的な機能を含む、ネットワークノードの機能の特定の態様を提供することを担いうる、図１３に示すコンポーネントを超える付加的なコンポーネントを含むことができる。
【００９８】
図１４は、特定の実施形態に従う、例示的な無線機器の概略ブロック図である。無線機器１１０は１つ以上のモジュールを含んでもよい。例えば、無線機器１１０は決定モジュール１４１０、通信モジュール１４２０、受信モジュール１４３０、入力モジュール１４４０、表示モジュール１４５０、および任意の他の好適なモジュールを含んでもよい。いくつかの実施形態において、決定モジュール１４１０、通信モジュール１４２０、受信モジュール１４３０、入力モジュール１４４０、表示モジュール１４５０、または任意の他の好適なモジュールのうちの１つ以上は、図１１に関連して上述した処理回路１１２０のような１つ以上のプロセッサを使用して実装されてもよい。特定の実施形態では、２以上の様々なモジュールの機能が単一のモジュールに統合されてもよい。無線機器１１０は、図１〜図８に関連して上述したレート可変ポーラ符号の軟復号のための方法を実行してもよい。
【００９９】
決定モジュール１４１０は無線機器１１０の処理機能を実行してもよい。所定の実施形態において、無線機器１１０は上述したノードの機能を実行してもよい。そのようなシナリオにおいて、決定モジュール１４１０は、ノードの複数のポーラ復号器のうちのそれぞれにおいて、複数の送信のうちの関連付けられた１つに含まれる各情報ビットに対する軟情報を決定し、複数のポーラ復号器のそれぞれは複数の送信のうちの異なる送信に関連付けられる。所定の実施形態において、決定モジュール１４１０は、復調器から受信した１つ以上のチャネルビットのＬＬＲと、個別に関連付けられた送信によって共有される任意の情報ビットについて複数のポーラ復号器のうちの１つ以上の他のポーラ復号器から提供される軟情報とに基づいて軟情報を決定してもよい。所定の実施形態において、決定モジュール１４１０は軟情報を係数によってスケーリングしてもよい。
【０１００】
別の例として、決定モジュール１４１０は、受信した複数の送信のうちの１つ以上を復号するために、提供された軟情報を反復復号処理において使用してもよい。
【０１０１】
さらに別の例として、決定モジュール１４１０は、複数のポーラ復号器のうちの各ポーラ復号器から複数のポーラ復号器のうちの１つ以上の他のポーラ復号器へ、個別の関連する送信によって共有された任意の情報ビットに対して決定された軟情報を提供してもよい。所定の実施形態において、決定モジュール１４１０は、複数の送信のうちの第１の送信に関連付けられた第１のポーラ復号器において、第１の送信内の各情報ビットに対する軟情報を決定してもよい。決定モジュール１４１０は、第１の送信に関連付けられた第１のポーラ復号器から第２の送信に関連付けられた第２のポーラ復号器へ、第１の送信および第２の送信によって共有される情報ビットのサブセットに含まれる第１の送信内の各情報ビットに対する軟情報を提供してもよい。決定モジュール１４１０は、複数の送信のうちの第２の送信に関連付けられた第２のポーラ復号器において、第１の送信および第２の送信によって共有される情報ビットのサブセット内の各情報ビットに対する軟情報を決定してもよい。決定モジュール１４１０は、第２の送信に関連付けられた第２のポーラ復号器から第１の送信に関連付けられた第１のポーラ復号器へ、第１の送信および第２の送信によって共有される情報ビットのサブセット内の各情報ビットに対する軟情報を提供してもよい。決定モジュール１４１０は、第１の送信および第２の送信によって共有される情報ビットのサブセット内の各情報ビットに対して第２のポーラ復号器によって提供された軟情報に基づいて、第１の送信の各情報ビットに対する硬判定を決定してもよい。
【０１０２】
別の例として、決定モジュール１４１０は、例えば図１１に関連して上述したメモリ１１３０のようなメモリ内に、決定された軟情報を格納してもよい。所定の実施形態において、決定モジュール１４１０は、複数の送信のうちの第１の送信および複数の送信のうちの別の送信を復号するために格納された軟情報を取得し、使用してもよい。
【０１０３】
決定モジュール１４１０は、図１１に関連して上述した処理回路１１２０のような１つ以上のプロセッサを含んでもまたは含められてもよい。決定モジュール１４１０は、上述の決定モジュール１４１０および／または処理回路１１２０の機能のうちのいずれかを実行するように構成されたアナログおよび／またはデジタル回路を含み得る。上述した決定モジュール１４１０の機能は、所定の実施形態において、１つ以上の別個のモジュールで実行されてもよい。
【０１０４】
通信モジュール１４２０は無線機器１１０の送信機能を実行してもよい。所定の実施形態において、無線機器１１０は上述したノードの機能を実行してもよい。そのようなシナリオにおいて、通信モジュール１４２０は、情報ビットの所与のセットに関連付けられた複数の送信を（例えばネットワークノードへ）送信し、複数の送信のうちのそれぞれは異なるポーラ符号を用い、情報ビットの所与のセットのうちの１つ以上の情報ビットを共有する。通信モジュール１４２０は、図１１に関連して上述した送受信器１１１０のような送信器および／または送受信器を含んでもよい。通信モジュール１４２０は、メッセージおよび／または信号を無線で送信するよう構成された回路を含んでもよい。特定の実施形態において、通信モジュール１４２０は、決定モジュール１４１０からの送信のためのメッセージおよび／または信号を受信してもよい。所定の実施形態において、上述した通信モジュール１４２０の機能は１つ以上の別個のモジュールで実行されてもよい。
【０１０５】
受信モジュール１４３０は無線機器１１０の受信機能を実行してもよい。所定の実施形態において、無線機器１１０は上述したノードの機能を実行してもよい。そのようなシナリオにおいて、受信モジュール１４３０は、情報ビットの所与のセットに関連付けられた複数の送信を受信し、複数の送信のうちのそれぞれは異なるポーラ符号を用い、情報ビットの所与のセットのうちの１つ以上の情報ビットを共有する。受信モジュール１４３０は受信器および／または送受信器を含んでもよい。受信モジュール１４３０は、図１１に関連して上述した送受信器１１１０のような受信器および／または送受信器を含んでもよい。受信モジュール１４３０は、メッセージおよび／または信号を無線で受信するよう構成された回路を含んでもよい。特定の実施形態において、受信モジュール１４３０は、決定モジュール１４１０に受信したメッセージおよび／または信号を通信してもよい。上述した受信モジュール１４３０の機能は、所定の実施形態において、１つ以上の別個のモジュールで実行されてもよい。
【０１０６】
入力モジュール１４４０は無線機器１１０向けのユーザ入力を受信してもよい。例えば、入力モジュールはキーの押下、ボタンの押下、タッチ、スワイプ、音声信号、ビデオ信号、および／または任意の他の適切な信号を受信してもよい。入力モジュールは１つ以上のキー、ボタン、レバー、スイッチ、タッチスクリーン、マイクロフォン、および／またはカメラを含んでもよい。入力モジュールは、決定モジュール１４１０へ受信信号を通信してもよい。上述した入力モジュール１４４０の機能は、所定の実施形態において、１つ以上の別個のモジュールで実行されてもよい。
【０１０７】
表示モジュール１４５０は無線機器１１０のディスプレイ上に信号を表示してもよい。表示モジュール１４５０はディスプレイ並びに／またはディスプレイ上に信号を表示するよう構成された任意の適切な回路およびハードウェアを含んでもよい。表示モジュール１４５０は決定モジュール１４１０から、ディスプレイ上に表示するための信号を受信してもよい。上述した表示モジュール１４５０の機能は、所定の実施形態において、１つ以上の別個のモジュールで実行されてもよい。
【０１０８】
決定モジュール１４１０、通信モジュール１４２０、受信モジュール１４３０、入力モジュール１４４０、および表示モジュール１４５０はハードウェアおよび／またはソフトウェアの任意な好適な構成を含んでもよい。無線機器１１０は、（本明細書で説明した多様なソリューションをサポートするために必要な任意の機能を含む）上述した機能および／または付加的な機能の何れかを含む、任意の好適な機能を提供することを担いうる、図１４に示すモジュールを超える付加的なコンポーネントを含むことができる。
【０１０９】
図１５は、特定の実施形態に従う、例示的なネットワークノード１１５の簡易ブロック図である。ネットワークノード１１５は１つ以上のモジュールを含んでもよい。例えば、ネットワークノード１１５は決定モジュール１５１０、通信モジュール１５２０、受信モジュール１４３０、および任意の他の好適なモジュールを含んでもよい。いくつかの実施形態において、決定モジュール１５１０、通信モジュール１５２０、受信モジュール１５３０、または任意の他の好適なモジュールのうちの１つ以上は、図１２に関連して上述した処理回路１２２０のような１つ以上のプロセッサを使用して実装されてもよい。特定の実施形態では、２以上の様々なモジュールの機能が単一のモジュールに統合されてもよい。ネットワークノード１１５は、図１〜図８に関して上述したレート可変ポーラ符号の軟復号のための方法を実行してもよい。
【０１１０】
決定モジュール１５１０は、ネットワークノード１１５の処理機能を実行しうる。所定の実施形態において、ネットワークノード１１５は上述したノードの機能を実行してもよい。そのようなシナリオにおいて、決定モジュール１５１０は、ノードの複数のポーラ復号器のうちのそれぞれにおいて、複数の送信のうちの関連付けられた１つに含まれる各情報ビットに対する軟情報を決定し、複数のポーラ復号器のそれぞれは複数の送信のうちの異なる送信に関連付けられる。所定の実施形態において、決定モジュール１５１０は、復調器から受信した１つ以上のチャネルビットのＬＬＲと、個別に関連付けられた送信によって共有される任意の情報ビットについて複数のポーラ復号器のうちの１つ以上の他のポーラ復号器から提供される軟情報とに基づいて軟情報を決定してもよい。所定の実施形態において、決定モジュール１５１０は軟情報を係数によってスケーリングしてもよい。
【０１１１】
別の例として、決定モジュール１５１０は、受信した複数の送信のうちの１つ以上を復号するために、提供された軟情報を反復復号処理において使用してもよい。
【０１１２】
さらに別の例として、決定モジュール１５１０は、複数のポーラ復号器のうちの各ポーラ復号器から複数のポーラ復号器のうちの１つ以上の他のポーラ復号器へ、個別の関連する送信によって共有された任意の情報ビットに対して決定された軟情報を提供してもよい。所定の実施形態において、決定モジュール１５１０は、複数の送信のうちの第１の送信に関連付けられた第１のポーラ復号器において、第１の送信内の各情報ビットに対する軟情報を決定してもよい。決定モジュール１５１０は、第１の送信に関連付けられた第１のポーラ復号器から第２の送信に関連付けられた第２のポーラ復号器へ、第１の送信および第２の送信によって共有される情報ビットのサブセットに含まれる第１の送信内の各情報ビットに対する軟情報を提供してもよい。決定モジュール１５１０は、複数の送信のうちの第２の送信に関連付けられた第２のポーラ復号器において、第１の送信および第２の送信によって共有される情報ビットのサブセット内の各情報ビットに対する軟情報を決定してもよい。決定モジュール１５１０は、第２の送信に関連付けられた第２のポーラ復号器から第１の送信に関連付けられた第１のポーラ復号器へ、第１の送信および第２の送信によって共有される情報ビットのサブセット内の各情報ビットに対する軟情報を提供してもよい。決定モジュール１５１０は、第１の送信および第２の送信によって共有される情報ビットのサブセット内の各情報ビットに対して第２のポーラ復号器によって提供された軟情報に基づいて、第１の送信の各情報ビットに対する硬判定を決定してもよい。
【０１１３】
別の例として、決定モジュール１５１０は、例えば図１２に関連して上述したメモリ１２３０のようなメモリ内に、決定された軟情報を格納してもよい。所定の実施形態において、決定モジュール１５１０は、複数の送信のうちの第１の送信および複数の送信のうちの別の送信を復号するために格納された軟情報を取得し、使用してもよい。
【０１１４】
決定モジュール１５１０は、図１２に関連して上述した処理回路１２２０のような１つ以上のプロセッサを含んでもまたは含められてもよい。決定モジュール１５１０は、上述の決定モジュール１５１０および／または処理回路１２２０の機能のうちのいずれかを実行するように構成されたアナログおよび／またはデジタル回路を含み得る。決定モジュール１５１０の機能は、所定の実施形態において、１つ以上の別個のモジュールで実行されてもよい。
【０１１５】
通信モジュール１５２０は、ネットワークノード１１５の送信機能を実行しうる。所定の実施形態において、ネットワークノード１１５は上述したノードの機能を実行してもよい。そのようなシナリオにおいて、通信モジュール１５２０は、情報ビットの所与のセットに関連付けられた複数の送信を（例えば無線機器へ）送信し、複数の送信のうちのそれぞれは異なるポーラ符号を用い、情報ビットの所与のセットのうちの１つ以上の情報ビットを共有する。通信モジュール１５２０は無線機器１１０の１つ以上へメッセージを送信してもよい。通信モジュール１５２０は、図１２に関連して上述した送受信器１２１０のような送信器および／または送受信器を含んでもよい。通信モジュール１５２０は、メッセージおよび／または信号を無線で送信するよう構成された回路を含んでもよい。特定の実施形態において、通信モジュール１５２０は、決定モジュール１５１０または任意の他のモジュールからの送信のためのメッセージおよび／または信号を受信してもよい。通信モジュール１５２０の機能は、所定の実施形態において、１つ以上の別個のモジュールで実行されてもよい。
【０１１６】
受信モジュール１５３０は、ネットワークノード１１５の受信機能を実行しうる。所定の実施形態において、ネットワークノード１１５は上述したノードの機能を実行してもよい。そのようなシナリオにおいて、受信モジュール１５３０は、情報ビットの所与のセットに関連付けられた複数の送信を受信し、複数の送信のうちのそれぞれは異なるポーラ符号を用い、情報ビットの所与のセットのうちの１つ以上の情報ビットを共有する。受信モジュール１４３０は受信器および／または送受信器を含んでもよい。受信モジュール１５３０は無線機器からの任意の好適な情報を受信してもよい。受信モジュール１５３０は、図１２に関連して上述した送受信器１２１０のような受信器および／または送受信器を含んでもよい。受信モジュール１５３０は、メッセージおよび／または信号を無線で受信するよう構成された回路を含んでもよい。特定の実施形態において、受信モジュール１５３０は、決定モジュール１５１０または任意の他の好適なモジュールに受信したメッセージおよび／または信号を通信してもよい。受信モジュール１５３０の機能は、所定の実施形態において、１つ以上の別個のモジュールで実行されてもよい。
【０１１７】
決定モジュール１５１０、通信モジュール１５２０、および受信モジュール１５３０はハードウェアおよび／またはソフトウェアの任意な好適な構成を含んでもよい。ネットワークノード１１５は、（本明細書で説明した多様なソリューションをサポートするために必要な任意の機能を含む）上述した機能および／または付加的な機能の何れかを含む、任意の好適な機能を提供することを担いうる、図１５に示すモジュールを超える付加的なコンポーネントを含むことができる。
【０１１８】
本開示の範囲から逸脱することなく、本明細書で説明したシステム及び装置に変更、追加または省略が行われてもよい。システムおよび装置のコンポーネントは統合または分離されてもよい。さらに、システムおよび装置の動作は、より多くの、より少ない、または他のコンポーネントによって実行されてもよい。付加的に、システムおよび装置の動作は、ソフトウェア、ハードウェア、および／または別の論理回路を含む任意の適切な論理回路を用いて実行されてもよい。本書面で用いられるように、「各」はセットの各メンバーまたはセットのサブセットの各メンバーを指す。
【０１１９】
本開示の範囲から逸脱することなく、本明細書で説明した方法に変更、追加または省略が行われてもよい。方法はより多い、より少ない、または他のステップを含んでもよい。付加的に、ステップは任意の適切な順番で実行されてもよい。
【０１２０】
本開示は特定の実施形態に関して説明されたが、実施形態の変更および置換は当業者には明らかであろう。したがって、実施形態の上述の説明は本開示を制限しない。以下の請求項によって定義されるように、本開示の精神および範囲から逸脱することなく、他の交換、置換、および変更が可能である。
【０１２１】
前述の説明で使用されている略語は以下の通りである：
３ＧＰＰ      第三世代パートナーシッププロジェクト
ＡＰ          アクセスポイント
ＡＳＩＣ      特定用途向け集積回路
ＢＥＲ        ブロックエラーレート
ＢＰ          確率伝搬法
ＢＳ          基地局
ＢＳＣ        基地局コントローラ
ＢＴＳ        ベース送受信局
ＣＤ          コンパクトディスク
ＣＰＥ        加入者宅内機器
ＣＰＵ        中央処理装置
ＣＲＣ        巡回冗長検査
Ｄ２Ｄ        デバイスツーデバイス
ＤＡＳ        分散アンテナシステム
ＤＬ          ダウンリンク
ＤＲＸ        間欠受信
ＤＶＤ        デジタルビデオディスク
ｅＮＢ        発展型ノードＢ
Ｅ−ＳＭＬＣ  発展型サービングモバイルロケーションセンター
ＦＰＧＡ      フィールドプログラマブルゲートアレイ
ＧＰＳ        Global Positioning System
ＧＳＭ        Global System for Mobile Communication
ＨＡＲＱ      ハイブリッド自動再送要求
ＩｏＴ        Internet of Things
ＩＰ          インターネットプロトコル
ＩＲ          インクリメンタル冗長度
ＬＡＮ        ローカルエリアネットワーク
ＬＤＰＣ      低密度パリティ検査
ＬＥＥ        ラップトップ組み込み機器
ＬＬＲ        対数尤度比
ＬＭＥ        ラップトップ搭載機器
ＬＴＥ        ロングタームエボリューション
Ｍ２Ｍ        マシンツーマシン
ＭＡＣ        メッセージ認証コード
ＭＡＮ        メトロポリタンエリアネットワーク
ＭＡＰ        最大事後確率
ＭＣＥ        マルチセル／マルチキャスト協調エンティティ
ＭＣＧ        マスタセルグループ
ＭＣＳ        変調レベル及び符号方式
ＭＤＴ        ドライブテストミニマイゼーション
ＭｅＮＢ      マスタｅＮｏｄｅＢ
ＭＬ          最尤
ＭＭＥ        移動性管理エンティティ
ＭＳＣ        移動交換センター
ＭＳＲ        マルチ規格無線
ＭＴＣ        マシンタイプ通信
ＮＡＳ        非アクセス層
ＮＢ−ＩｏＴ  狭帯域Internet of Things
ＮＲ          Ｎｅｗ  Ｒａｄｉｏ
Ｏ＆Ｍ        運用および保守
ＯＳＳ        オペレーション支援システム
ＰＳＴＮ      公衆電話網
ＲＡＭ        ランダムアクセスメモリ
ＲＡＮ        無線アクセスネットワーク
ＲＡＴ        無線アクセス技術
ＲＮＣ        無線ネットワークコントローラ
ＲＯＭ        読み出し専用メモリ
ＲＲＣ        無線リソース制御
ＲＲＨ        リモート無線ヘッド
ＲＲＵ        リモート無線ユニット
ＳＣ          逐次除去
ＳＣＧ        セカンダリセルグループ
ＳＣＬ        逐次除去リスト
ＳｅＮＢ      セカンダリｅＮｏｄｅＢ
ＳＯＮ        自己組織化ネットワーク
ＵＥ          ユーザ装置
ＵＬ          アップリンク
ＵＭＴＳ      Universal Mobile Telecommunications System
ＶＯＩＰ      Voice Over Internet Protocol
ＷＡＮ        ワイドエリアネットワーク
ＷｉＭａｘ    Worldwide Interoperability for Microwave Access
ＷＬＡＮ      無線ローカルエリアネットワーク
【図１】
2019531001.tif 000015
【図２】
2019531001.tif 000016
【図３】
2019531001.tif 000017
【図４】
2019531001.tif 000018
【図５】
2019531001.tif 000019
【図６】
2019531001.tif 000020
【図７】
2019531001.tif 000021
【図８】
2019531001.tif 000022
【図９】
2019531001.tif 000023
【図１０】
2019531001.tif 000024
【図１１】
2019531001.tif 000025
【図１２】
2019531001.tif 000026
【図１３】
2019531001.tif 000027
【図１４】
2019531001.tif 000028
【図１５】
2019531001.tif 000029
【国際調査報告】
2019531001.tif 000030
2019531001.tif 000031